(57)【特許請求の範囲】
【請求項１】
帯状に形成され、長手方向に沿って特定図柄を含む複数の図柄が配置されると共に前記複数の図柄の周囲に背景部が形成されたリールテープと、前記リールテープが巻き回されて前記リールテープを保持するフレームと、を有するリールと、
前記フレームに保持された状態の前記リールテープを内側から照明するバックライトと、を備え、
前記フレームは、短手方向の両側で前記リールテープの内面に当接する一対の円環部を有し、
前記特定図柄は、前記背景部よりも前記バックライトからの光が透過しやすい透光部と、前記透光部の周囲に形成されて、前記透光部よりも前記バックライトからの光が透過しにくい縁部と、を有し、
前記透光部は、前記一対の円環部の両方と重ならないように配置され、
前記縁部は、前記一対の円環部のうち少なくとも一方の円環部と重なるように配置され、
前記リールテープの前記一方の円環部側の端から前記特定図柄までの前記短手方向における距離は、１ｍｍ以上かつ３ｍｍ以下である、
ことを特徴とする遊技機。
【請求項２】
帯状に形成され、長手方向に沿って特定図柄を含む複数の図柄が配置されると共に前記複数の図柄の周囲に背景部が形成されたリールテープと、前記リールテープが巻き回されて前記リールテープを保持するフレームと、を有するリールと、
前記フレームに保持された状態の前記リールテープを内側から照明するバックライトと、を備え、
前記フレームは、短手方向の両側で前記リールテープの内面に当接する一対の円環部を有し、
前記特定図柄は、前記背景部よりも前記バックライトからの光が透過しやすい透光部と、前記透光部の周囲に形成されて、前記透光部よりも前記バックライトからの光が透過しにくい縁部と、を有し、
前記透光部は、前記一対の円環部の両方と重ならないように配置され、
前記縁部は、前記一対の円環部のうち少なくとも一方の円環部と重なるように配置され、
前記リールテープの前記一方の円環部側の端から前記特定図柄までの前記短手方向における距離は、１ｍｍ以上かつ前記一方の円環部の前記リールテープの内面に当接する当接面の前記短手方向における長さ未満である、
ことを特徴とする遊技機。
【発明の詳細な説明】
【技術分野】
【０００１】
本発明は、遊技機に関する。
【背景技術】
【０００２】
従来、外周面に図柄が配列された複数のリールを備えた遊技機（回胴式遊技機、スロットマシン）が知られている（例えば、特許文献１参照）。この種の遊技機は、メダルやパチンコ玉などの遊技媒体に対して一定の遊技価値を付与し、このような遊技媒体を獲得するための遊技を行うものである。また、この種の遊技機は、遊技者によるスタートレバーに対する開始操作を契機として、内部抽選を行うとともに複数のリールの回転を開始させ、遊技者によるストップボタンに対する停止操作を契機として、内部抽選の結果に応じた態様で複数のリールを停止させる制御を行っている。そして、遊技の結果は、複数のリールが停止した状態における入賞判定ライン上に表示された図柄組合せによって判定され、遊技の結果に応じてメダル等の払い出しなどが行われる。
【先行技術文献】
【特許文献】
【０００３】
【特許文献１】特開２００７−０３７５７９号公報
【発明の概要】
【発明が解決しようとする課題】
【０００４】
上述したような遊技機は、遊技者が回転するリールの特定の図柄を入賞判定ライン上に停止させることを狙ったタイミングでストップボタンを操作する、所謂目押しを行うことによってメダル等の獲得機会を増やすことが可能なものが多く、図柄の視認性の向上が求められている。
【０００５】
そこで、本発明は、リールの図柄の視認性を向上することが可能な遊技機を提供することを目的としている。
【課題を解決するための手段】
【０００６】
本発明の一態様は、帯状に形成され、長手方向に沿って特定図柄を含む複数の図柄が配置されると共に前記複数の図柄の周囲に背景部が形成されたリールテープと、前記リールテープが巻き回されて前記リールテープを保持するフレームと、を有するリールと、
前記フレームに保持された状態の前記リールテープを内側から照明するバックライトと、を備え、
前記フレームは、短手方向の両側で前記リールテープの内面に当接する一対の円環部を有し、
前記特定図柄は、前記背景部よりも前記バックライトからの光が透過しやすい透光部と、前記透光部の周囲に形成されて、前記透光部よりも前記バックライトからの光が透過しにくい縁部と、を有し、
前記透光部は、前記一対の円環部の両方と重ならないように配置され、
前記縁部は、前記一対の円環部のうち少なくとも一方の円環部と重なるように配置され、
前記リールテープの前記一方の円環部側の端から前記特定図柄までの前記短手方向における距離は、１ｍｍ以上かつ３ｍｍ以下である、ことを特徴とする遊技機である。
【０００７】
また、本発明の一態様は、帯状に形成され、長手方向に沿って特定図柄を含む複数の図柄が配置されると共に前記複数の図柄の周囲に背景部が形成されたリールテープと、前記リールテープが巻き回されて前記リールテープを保持するフレームと、を有するリールと、
前記フレームに保持された状態の前記リールテープを内側から照明するバックライトと、を備え、
前記フレームは、短手方向の両側で前記リールテープの内面に当接する一対の円環部を有し、
前記特定図柄は、前記背景部よりも前記バックライトからの光が透過しやすい透光部と、前記透光部の周囲に形成されて、前記透光部よりも前記バックライトからの光が透過しにくい縁部と、を有し、
前記透光部は、前記一対の円環部の両方と重ならないように配置され、
前記縁部は、前記一対の円環部のうち少なくとも一方の円環部と重なるように配置され、
前記リールテープの前記一方の円環部側の端から前記特定図柄までの前記短手方向における距離は、１ｍｍ以上かつ前記一方の円環部の前記リールテープの内面に当接する当接面の前記短手方向における長さ未満である、ことを特徴とする遊技機である。
【発明の効果】
【０００８】
本発明によれば、リールの図柄の視認性を向上することが可能となる。
【図面の簡単な説明】
【０００９】
【図１】本実施形態に係る遊技機の外観構成を示す正面図である。
【図２】本実施形態に係る遊技機の外観構成を示す側面図である。
【図３】本実施形態に係る遊技機の前面扉の構成を示す背面図である。
【図４】本実施形態に係る遊技機の筐体の内部の構成を示す正面図である。
【図５】本実施形態に係る遊技機のスタートレバーユニットを示す図１のＡ−Ａ断面図である。
【図６】本実施形態に係る遊技機のスタートレバーユニットの取付け構造を示す図１のＢ−Ｂ断面図である。
【図７】本実施形態に係る遊技機のストップボタンユニットを示す図２のＤ−Ｄ断面図である。
【図８】本実施形態に係る遊技機のストップボタンユニットを示す分解図である。
【図９】本実施形態に係る遊技機のストップボタンユニットを示す図１のＣ−Ｃ断面図である。
【図１０】本実施形態に係る遊技機の第１リールを示す斜視図である。
【図１１】本実施形態に係る遊技機のリールテープを示す図で、（ａ）は表面から視た図、（ｂ）は裏面から視た図である。
【図１２】本実施形態に係る遊技機の重なり領域周辺の第１リールの示す拡大図である。
【図１３】本実施形態に係る遊技機のリールテープを示す図１１（ａ）の拡大図である。
【図１４】本実施形態に係る遊技機の識別表示を示す拡大図である。
【発明を実施するための形態】
【００１０】
以下、本発明に係る実施形態について説明する。なお、以下に説明する本実施形態は、特許請求の範囲に記載された本発明の内容を不当に限定するものではない。また、本実施形態で説明される構成のすべてが、本発明の必須構成要件であるとは限らない。また、以下の記載において、「平行」及び「直交」との説明があるが、これらを寸法誤差（設計誤差、製造誤差）等により厳密に「平行」及び「直交」とすることは現実的には困難であり、「平行」及び「直交」には、それぞれ「略平行」及び「略直交」であるものを含むものとする。
【００１１】
［遊技機の構成の概要］
図１は、本実施形態のスロットマシン１の外観構成を示す正面図、図２は、スロットマシン１の外観構成を示す側面図である。本実施形態のスロットマシン１は、いわゆる回胴式遊技機と呼ばれるもので、メダルを遊技媒体として用いた遊技を行う種類の遊技機である。なお、以下において、遊技者の方（手前）を「前方」、反対を「後方」と記載する。また、図１の正面図を基準に遊技機の上下左右を規定する。
【００１２】
本実施形態のスロットマシン１は、遊技者に対向する側である前面側（前方側）に開口ＢＸａ（図４参照）が形成された箱形の筐体ＢＸ、開閉可能に筐体ＢＸに支持された前扉としての前面扉ＦＤを備えており、筐体ＢＸ内に左右方向に並べて配置された複数のリールとしての第１リールＲ１〜第３リールＲ３を有するリールユニット３１０が収められている。筐体ＢＸの開口ＢＸａは、上部よりも下部が前方となる傾斜面Ｓ１に沿って形成されている。筐体ＢＸは、スロットマシン１が遊技場に設置される際、遊技場の床面に当接する下面ＢＸｂを有している。なお、下面ＢＸｂは平面状に形成されているものに限定されない。下面ＢＸｂは、遊技場の床面と当接することによってスロットマシン１が安定して載置されるように形成されていればよく、例えば、複数の凹凸を有していてもよい。筐体ＢＸは、傾斜面Ｓ１に沿って形成されているため、前面扉ＦＤの開放時に前方側に倒れようとする力を緩和している。また、筐体ＢＸ内のリールユニット３１０の下部には、メダルの払出装置としてのホッパーユニット３２０（図４参照）が収められている。また、本実施形態のスロットマシン１の筐体ＢＸ内には、ＣＰＵ、ＲＯＭ（情報記憶媒体の一例）、ＲＡＭ等を搭載し、スロットマシン１の動作を制御する制御基板１０（図４参照）も収められている。
【００１３】
最も左方側に配置された第１リールＲ１、第１リールＲ１の右方側に配置された第２リールＲ２及び第２リールＲ２の右方側に配置された第３リールＲ３は、それぞれ外周面が一定の間隔で２０の領域（以下、各領域を「コマ」と記載する）に区画されており、各コマに複数種類の図柄のいずれかが配列されている。また、第１リールＲ１〜第３リールＲ３は、リール駆動手段としてのステッピングモータＭ（図４参照）に軸支されており、それぞれステッピングモータＭの軸周りに回転駆動され、ステッピングモータＭの駆動パルスのパルス数やパルス幅などを制御することによって、コマ単位（所定の回転角度単位、所定の回転量単位）で停止可能に設けられている。
【００１４】
前面扉ＦＤは、それぞれ個別に開閉可能で、開口ＢＸａの上半部を閉じることが可能な前面上扉ＵＤと、開口ＢＸａの下半部を閉じることが可能な前面下扉ＤＤと、に分割部ＤＶにおいて上下に分割して構成されている。前面上扉ＵＤには、第１リールＲ１〜第３リールＲ３の回転状態及び停止状態を観察可能にする表示窓ＤＷが設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓ＤＷを通じて観察できるようになっている。
【００１５】
また、本実施形態のスロットマシン１では、表示窓ＤＷを通じて図柄を観察するための表示位置として、各リールについて上段、中段、下段が設けられており、各リールの表示位置の組合せによって有効ラインが設定されている。なお、本実施形態のスロットマシン１では、１回の遊技に関して必要となるメダルの数、いわゆる規定投入数がいずれの遊技状態においても３枚に設定されており、規定投入数に相当するメダルが投入されると第１リールＲ１〜第３リールＲ３の中段によって構成される有効ラインＬ１が有効化される。
【００１６】
そして、遊技結果は、表示窓ＤＷ内の有効ラインＬ１上に停止表示された図柄組合せによって判定され、有効ラインＬ１上の図柄組合せが予め定められた役に対応した図柄組合せである場合に、その役が入賞したものとしてホッパーユニット３２０からメダルの払い出し等が行われる。
【００１７】
前面上扉ＵＤには、第１リールＲ１〜第３リールＲ３を外部から照明するリール照明装置ＬＴ（図３参照）が設けられている。リール照明装置ＬＴは、表示窓ＤＷの裏側（奥側）上方に配置されており、第１リールＲ１〜第３リールＲ３を前上方から照明して、図柄の視認性を向上している。なお、リール照明装置は、表示窓ＤＷの裏側下方に配置されて、第１リールＲ１〜第３リールＲ３を前下方から照明するように構成されていてもよいし、表示窓ＤＷの裏側上方及び裏側下方の両方に配置されていてもよい。
【００１８】
前面上扉ＵＤには、遊技情報表示部ＤＳが設けられている。遊技情報表示部ＤＳは、ＬＥＤ、ランプ、７セグメント表示器等からなり、メダルのクレジット数、１回の遊技におけるメダルの払出数あるいは獲得数、ボーナス状態でのメダルの払出数の合計あるいは獲得数の合計、今回の遊技で当選した役の情報、メダルの払い出しに関係するストップボタンＢ１〜ストップボタンＢ３の押し方を示唆する情報の表示等の各種遊技情報が表示される。
【００１９】
遊技情報表示部ＤＳには、７セグメント表示器から構成される主制御表示装置５００が含まれており、規定投入数のメダルが投入されスタートレバーＳＬが傾動操作された際に、今回の遊技で当選した役の情報である当選情報に基づき作成される制御信号である当選コマンドに対応する表示である報知表示が表示され、報知表示の表示後に第１リールＲ１〜第３リールＲ３が停止した際に、報知表示が終了するとともにメダルの払出数あるいは獲得数が表示される。本実施形態のスロットマシン１では、当選コマンドに応じた表示態様で主制御表示装置５００の各セグメントが点灯及び消灯する報知表示が実行される。
【００２０】
また、主制御表示装置５００には、７セグメント表示器のドットであり、図示しない有利期間制御手段によって有利期間が開始されている場合に点灯し、有利期間が開始されていない、つまり非有利期間が開始されている場合に消灯することで有利期間が開始されているか否かを報知する有利期間報知部５００Ａが設けられている。
【００２１】
また、スロットマシン１には、遊技を補助したり、遊技を盛り上げたりする、遊技に関する演出を実行可能な演出装置３００が設けられている。演出装置３００には、前面上扉ＵＤに設けられている、表示装置３３０、可動役物装置３５０、及び複数の電飾装置３６０、前面下扉に設けられている複数の電飾装置３７０が含まれる。表示装置３３０は、例えば液晶ディスプレイから構成され、遊技の進行に応じて各種の映像や画像を表示する演出を実行する。可動役物装置３５０は、例えば、表示装置３３０の前方に配置されており、遊技の進行に応じてモータやソレノイド等の駆動手段により移動し、表示装置３３０の画面を遮蔽させたり露出させたりする演出を実行する。電飾装置３６０，３７０は、遊技の進行に応じて発光する演出を実行する。また、演出装置３００には、前面上扉ＵＤ及び前面下扉ＤＤに設けられている、複数の音響装置３８０，３９０を含む。音響装置３８０，３９０は、遊技の進行に応じて各種の音声を出力する演出を実行する。
【００２２】
前面下扉ＤＤは、正面視において前面下扉ＤＤと略同サイズで、電飾装置３７０、音響装置３９０、メダル受け皿ＭＰ等が取付けられる合成樹脂製の下扉ベースＤＢを有している。下扉ベースＤＢには、各種の操作手段が取付けられている操作部ＣＰが一体的に形成されている。操作部ＣＰは、上方を向いた操作部上面ＣＰａと、前方を向いた操作部前面ＣＰｂと、を有している。操作部上面ＣＰａには、遊技者が１枚ずつメダルを投入するためのメダル投入口ＭＩ、及びメダルがクレジット（貯留）されている状態で、クレジットされたメダルのうちから一度の操作によって規定投入数のメダルを投入する投入操作を受付ける投入操作手段としてのマックスベットボタンＭＢ（ベットボタン）が取付けられている。
【００２３】
操作部前面ＣＰｂには、投入操作手段としてのシングルベットボタンＢＴ、開始操作手段としてのスタートレバーＳＬを有するスタートレバーユニットＬＵ、停止操作手段としての複数のストップボタンであるストップボタンＢ１〜ストップボタンＢ３を有するストップボタンユニットＢＵ、ストップボタンユニットＢＵの前面側を覆うボタンカバーＢＣ及びクレジットされたメダルを清算するための清算ボタンＢＳが取付けられている。シングルベットボタンＢＴは、メダルがクレジットされている状態で、クレジットされたメダルのうちから１枚のメダルを投入する投入操作を受付ける。スタートレバーＳＬは、第１リールＲ１〜第３リールＲ３を回転させる契機となる開始操作を受付ける。ストップボタンＢ１〜ストップボタンＢ３は、ステッピングモータＭ（図４参照）により回転駆動されている第１リールＲ１〜第３リールＲ３のそれぞれを停止させる契機となる停止操作を受付ける。クレジットされているメダルは、貯留手段としての制御基板１０に記憶（貯留）されている。
【００２４】
本実施形態のスロットマシン１では、遊技者がメダルをメダル投入口ＭＩに投入するか、メダルが規定投入数以上にクレジットされている場合に、規定投入数と同じ回数シングルベットボタンＢＴを後方に向けて押下するシングルベット操作（投入操作）又はマックスベットボタンＭＢを下方に向けて押下するマックスベット操作（投入操作）を行うことで、規定投入数のメダルが投入状態に設定され、第１リールＲ１〜第３リールＲ３の回転制御を開始することが可能な準備状態にセットされる。そして、遊技者がスタートレバーＳＬに対してスタートレバーＳＬを傾動させる開始操作（傾動操作）を実行すると、制御基板１０において第１リールＲ１〜第３リールＲ３をステッピングモータＭの駆動により回転開始させるとともに、乱数を用いた内部抽選が行われ、第１リールＲ１〜第３リールＲ３の回転速度が所定の速度まで上昇し定常回転になったことを条件に、ストップボタンＢ１〜ストップボタンＢ３の押下操作が許可、すなわちストップボタンＢ１〜ストップボタンＢ３による停止操作が有効化される。
【００２５】
なお、本実施形態のスロットマシン１は、第１リールＲ１〜第３リールＲ３を回転開始させた場合に、ウェイト（又はウェイト時間）と称される待機時間（約４．１秒）を設定するように構成されている。そして、スロットマシン１は、待機時間の設定から待機時間が経過するまでの期間内に再び開始操作が行われた場合に、待機時間が経過した後に第１リールＲ１〜第３リールＲ３を回転開始させるように構成されている。
【００２６】
その後、遊技者が任意のタイミングでストップボタンＢ１〜ストップボタンＢ３を後方に向けて押下（以下、「押下タイミング」と記載）していくと、ストップボタンＢ１〜ストップボタンＢ３のそれぞれに内蔵されている停止信号出力手段としてのストップスイッチ３５（図８参照）がＯＮ動作を行い、制御基板１０へ出力するリール停止信号をＯＦＦ状態からＯＮ状態へ変化させる。
【００２７】
また、遊技者が任意のタイミングで押下状態にあるストップボタンＢ１〜ストップボタンＢ３を解放すると、ストップボタンＢ１〜ストップボタンＢ３それぞれに対応するストップスイッチがＯＦＦ動作を行い、制御基板１０へ出力するリール停止信号をＯＮ状態からＯＦＦ状態に変化させる。そして、制御基板１０は、ストップボタンＢ１〜ストップボタンＢ３の押下タイミング及び解放タイミングに応じて信号状態が変化するリール停止信号のＯＦＦ状態からＯＮ状態への変化に基づいて、内部抽選の結果に応じた停止位置で第１リールＲ１〜第３リールＲ３を停止させる。
【００２８】
また、前面下扉ＤＤの下部の下皿前面５１には、メダル払出口ＭＯとメダル受け皿ＭＰとが設けられており、遊技の結果に応じた枚数のメダルがメダル払出口ＭＯからメダル受け皿ＭＰへ払い出されるようになっている。また、制御基板１０にクレジットされたメダルが記憶されている状態で、清算ボタンＢＳが押下された場合、清算ボタンＢＳの押下に伴って清算ボタンＢＳに内蔵されているメダル清算スイッチ（不図示）がＯＮ動作を行い、制御基板１０へ出力するメダル清算信号をＯＦＦ状態からＯＮ状態へ変化させる。制御基板１０は、メダル清算信号のＯＦＦ状態からＯＮ状態への変化に伴って、第１リールＲ１〜第３リールＲ３が回転しておらずかつメダルがベットされていない状態に限り、ホッパーユニット３２０からクレジット数（クレジットされたメダルの枚数）に相当する枚数のメダルを払い出す清算処理を実行し、メダル払出口ＭＯからメダル受け皿ＭＰへメダルを払い出す。
【００２９】
下皿前面５１のメダル払出口ＭＯの左右には、証紙類（公的機関による試験の適合を証する証紙、特許権等の実施許諾を証する証紙、各遊技機の個別情報（機種情報や製造情報）を符号や数字等で記録した識別ラベル、銘板など）を配置するための証紙類配置部５２Ｌ、５２Ｒがそれぞれ配置されている。証紙類配置部５２Ｌ、５２Ｒは、例えば、証紙類を収容する凹部とそれを覆う透明カバーなどから構成することができる。あるいは、証紙類配置部５２Ｌ、５２Ｒは単に証紙類（証紙や銘板など）を貼付や接着するための平面部であってもよい。下皿前面５１の後方かつ証紙類配置部５２Ｌ、５２Ｒの左右外側には、上記の音響装置３９０，３９０が配置されており、音響装置３９０，３９０の前方の下皿前面５１には、音響装置３９０，３９０からの音を前方に出力するための多数の開口からなる開口部５３，５３が配置されている。
【００３０】
下皿前面５１は、後述する前面下扉ＤＤの傾斜面Ｓ１に対向する合わせ面ＤＤａと平行となるように形成されており、メダル払出口ＭＯの開口の前端縁ＭＯａも、合わせ面ＤＤａと平行となるように形成されている。また、開口部５３，５３の開口は、合わせ面ＤＤａと直交するように形成されている。これにより、前面下扉ＤＤの形状の簡略化を図り、生産コストの低減を図ることを可能としている。なお、開口部の開口は、射出成型において合わせ面ＤＤａと直交する方向に型抜き可能な形状であればよく、例えば内面に０〜１０°程度の抜き勾配が形成されていてもよいし、各孔の抜き勾配は１つの孔において一定でなくてもよい。また、証紙類配置部５２Ｌ，５２Ｒの証紙類を貼付ける平面部は、合わせ面ＤＤａと平行となるように形成されている。即ち、証紙類配置部５２Ｌ，５２Ｒに配置された証紙類は、上部よりも下部が前方となるように傾斜する。これにより、作業者や遊技者等が証紙類の情報を目視により確認する際、証紙類配置部５２Ｌ，５２Ｒよりも上方から証紙類を視認しやすくなり、証紙類の確認作業における作業性の向上を図っている。
【００３１】
［前面上扉及び前面下扉の開閉に係る構成］
次に、前面扉ＦＤの開閉に係る構成について説明する。図２及び図３に示すように、前面扉ＦＤは、前面上扉ＵＤ及び前面下扉ＤＤのそれぞれの左方側に設けられた蝶番ＨＮ（図４参照）を介して筐体ＢＸに支持されており、筐体ＢＸに対して右方側が開閉可能となっている。前面上扉ＵＤは、上施錠ユニット（不図示）を有し、前面下扉ＤＤは、下施錠ユニットＤＬを有する。
【００３２】
上施錠ユニットは、前面上扉ＵＤの右方側に設けられている。上施錠ユニットＵＬは、下扉ベースＤＢに取付けられる上施錠ベースＵＬａ、上施錠ベースＵＬａに対して傾動可能に支持され、筐体ＢＸに設けられた上被係合部ＢＸｃ（図４参照）に係合する位置と係合しない位置とに移動可能な上係合部ＵＬｂ、上係合部の移動を操作する係合操作部ＵＬｃ、及び上係合部と係合操作部ＵＬｃとを接続する上接続部（不図示）を有する。前面上扉ＵＤは、上施錠ユニットの上係合部ＵＬｂが上被係合部ＢＸｃに係合することにより、閉じている状態に施錠される。下施錠ユニットＤＬは、前面下扉ＤＤの右方側に設けられている。下施錠ユニットＤＬは、下扉ベースＤＢに取付けられる下施錠ベースＤＬａ、下施錠ベースＤＬａに対して傾動可能に支持され、筐体ＢＸに設けられた下被係合部ＢＸｄ（図４参照）に係合する位置と係合しない位置とに移動可能な下係合部ＤＬｂ、キー操作によって下係合部の移動を操作するシリンダ錠ＣＹ、及び下係合部ＤＬｂとシリンダ錠ＣＹとを接続する下接続部ＤＬｄを有する。前面下扉ＤＤは、下施錠ユニットＤＬの下係合部ＤＬｂが下被係合部ＢＸｄに係合することにより、閉じている状態に施錠される。前面扉ＦＤは、前面上扉ＵＤ及び前面下扉ＤＤが施錠されることにより、開口ＢＸａを閉じている状態となる。
【００３３】
前面上扉ＵＤは、前面扉ＦＤが開口ＢＸａを閉じている状態で傾斜面Ｓ１に対向する合わせ面ＵＤａを有し、前面下扉ＤＤは、前面扉ＦＤが開口ＢＸａを閉じている状態で傾斜面Ｓ１に対向する合わせ面ＤＤａを有している。また、前面上扉ＵＤは、前面上扉ＵＤの下端部に配置されて前方を向くように形成された下端前面ＵＤｂ（図５参照）を有している。前面下扉ＤＤは、前面下扉ＤＤの上端部に配置されて後方を向くように形成され、下端前面ＵＤｂに対向すると共に下端前面ＵＤｂに当接可能な上端後面ＤＤｂ（図５参照）を有している。
【００３４】
前面上扉ＵＤは、上端後面ＤＤｂが下端前面ＵＤｂに当接することにより、前面下扉ＤＤに対して開く方向への移動が規制される。このため、前面上扉ＵＤは、前面下扉ＤＤの下施錠ユニットＤＬの下係合部が下被係合部ＢＸｄに係合していない状態（前面下扉ＤＤが施錠されておらず、開いている状態）で、開閉可能となっている。また、前面下扉ＤＤは、前面上扉ＵＤの上施錠ユニットの上係合部が上被係合部ＢＸｃに係合している状態（前面上扉ＵＤが閉じて、施錠されている状態）で、前面下扉ＤＤとは独立して開閉可能となっている。
【００３５】
上施錠ユニットＵＬの係合操作部ＵＬｃは、前面下扉ＤＤが開いている状態で操作可能に露出するように配置されており、操作されることによって、上接続部を介して上施錠ユニットＵＬの上係合部ＵＬｂを上被係合部ＢＸｃに係合しない位置に移動させる。下施錠ユニットＤＬのシリンダ錠ＣＹは、合わせ面ＤＤａと直交する方向に沿って延びる円筒状に形成されて、前面下扉ＤＤに形成されたシリンダ用貫通孔ＤＢｃ（図１参照）から前端部ＣＹａ（図１参照）が前方に露出しており、挿入されたキーを回動させるキー操作が行われることによって、下接続部を介して下施錠ユニットＤＬの下係合部ＤＬｂを下被係合部ＢＸｄに係合しない位置に移動させる。
【００３６】
前面下扉ＤＤは、シリンダ用貫通孔ＤＢｃが合わせ面ＤＤａと直交する方向に形成されている。また、前面下扉ＤＤは、シリンダ用貫通孔ＤＢｃの前端側の開口の周囲に形成されたシリンダ周囲面ＤＢｄを有しており、シリンダ周囲面ＤＢｄが合わせ面ＤＤａと平行となるように形成されている。これにより、前面下扉ＤＤの形状の簡略化を図り、生産コストの低減を図ることを可能としている。なお、シリンダ貫通孔は、射出成型において合わせ面ＤＤａと直交する方向に型抜き可能な形状であればよく、例えば内面に０〜３°程度の抜き勾配が形成されていてもよいし、各孔の抜き勾配は１つの孔において一定でなくてもよい。
【００３７】
また、前面上扉ＵＤは、前面上扉ＵＤの下端部に配置されて下方を向くように形成された、分割部Ｄにおける分割面である上扉下端面ＵＤｃを有している。前面下扉ＤＤは、前面下扉ＤＤの上端部に配置されて上方を向くように形成され、前面扉ＦＤが開口ＢＸａを閉じている状態で上扉下端面ＵＤｃに対向する、分割部Ｄにおける分割面である下扉上端面ＤＤｃを有している。上扉下端面ＵＤｃ及び下扉上端面ＤＤｃは、合わせ面ＵＤａ，ＤＤａと直交する仮想平面Ｓ２に対して、前方に向けて上向きとなるように傾斜している。
【００３８】
これにより、本実施形態のスロットマシン１は、作業者が前面下扉ＤＤが開いている状態で前面上扉ＵＤを開く際、前面上扉ＵＤの右端側が自重により下がった状態で前面上扉ＵＤが移動する場合であっても、上扉下端面ＵＤｃが下扉上端面ＤＤｃに沿って案内されるように構成される。また、本実施形態のスロットマシン１は、作業者が前面上扉ＵＤが閉じている状態で前面下扉ＤＤを閉じる際、作業者が前面下扉ＤＤを持ち上げながら閉じる場合であっても、上扉下端面ＵＤｃが下扉上端面ＤＤｃに沿って案内されるように構成される。
【００３９】
このように構成されていることで、本実施形態のスロットマシン１は、作業者が前面上扉ＵＤ及び前面下扉ＤＤを互いに独立して開閉する際、前面下扉ＤＤの上端部の後方の角と、前面上扉ＵＤの下端部の前方の角とが衝突しにくくなり、前面上扉ＵＤ及び前面下扉ＤＤの開閉操作における操作性の向上を図っている。また、前面下扉ＤＤの上端部の後方の角と前面上扉ＵＤの下端部の前方の角とが衝突して破損することの防止を図っている。更に、上扉下端面ＵＤｃと下扉上端面ＤＤｃとが摺動する際の、上扉下端面ＵＤｃと下扉上端面ＤＤｃとが接触する圧力を低下させ、上扉下端面ＵＤｃと下扉上端面ＤＤｃとの摺動による傷付きの抑制を図っている。
【００４０】
［前面下扉及びスタートレバーユニットの詳細］
図５及び図６に示すように、下扉ベースＤＢは、スタートレバーユニットＬＵが取付けられるレバー取付面ＤＢｊ、スタートレバーユニットＬＵを下扉ベースＤＢに取付けるためのねじが挿入される複数のレバー取付穴ＤＢｋ、スタートレバーユニットＬＵが挿入されたレバー用貫通孔ＤＢｍ、及びレバー周囲面ＤＢｎを有しており、合わせ面ＤＤａに直交する方向を開き方向（抜き方向）とする金型を用いて射出成形によって形成されている。
【００４１】
レバー取付面ＤＢｊは、後方を向いて合わせ面ＤＤａに平行となるように形成されており、スタートレバーユニットＬＵに当接している。複数のレバー取付穴ＤＢｋは、レバー取付面ＤＢｊから前方に向かって延びており、合わせ面ＤＤａに直交する方向に沿って形成されている。レバー用貫通孔ＤＢｍは、レバー取付面ＤＢｊから前方に向かって延びており、合わせ面ＤＤａに直交する方向に沿って形成されている。即ち、複数のレバー取付穴ＤＢｋの中心線ＤＢＫＬ及びレバー用貫通孔ＤＢｍの中心線ＤＢｍＬは、合わせ面ＤＤａに直交している。
【００４２】
また、レバー周囲面ＤＢｎは、レバー用貫通孔ＤＢｍの前端側の開口の周囲に、合わせ面ＤＤａに平行となるように形成されている。なお、レバー周囲面ＤＢｎは、操作部前面ＣＰｂと同一の面として下扉ベースＤＢに形成されていてもよい。スタートレバーユニットＬＵは、後方から下扉ベースＤＢの操作部ＣＰに取付けられてねじ留めされ、前端側がレバー用貫通孔ＤＢｍを貫通して操作部ＣＰから前方に露出している。
【００４３】
スタートレバーユニットＬＵは、下扉ベースＤＢに取付けられる保持部４１、スタートレバーＳＬ、付勢手段としての復帰ばね４３、及び軸部４２の初期位置からの上下左右方向への傾動に基づいて開始操作を検知する傾動センサ４５を有している。スタートレバーＳＬは、揺動（傾動）可能に保持部４１に保持された軸部４２、及び軸部４２の前端部に取付けられた球状のグリップ４４を有している。
【００４４】
保持部４１は、レバー用貫通孔ＤＢｍに挿入される円筒状の円筒部４１ａ、及び下扉ベースＤＢに取付けるためのねじが貫通する複数のねじ貫通孔４１ｂを有し、合わせ面ＤＤａに直交する方向を開き方向（抜き方向）とする金型を用いて射出成形によって形成されている。円筒部４１ａ及び複数のねじ貫通孔４１ｂは、下扉ベースＤＢに取付けられた状態で、合わせ面ＤＤａに直交する方向に延びるように形成されている。即ち、円筒部４１ａの中心線４１ａＬ及び複数のねじ貫通孔４１ｂの中心線４１ｂＬは、合わせ面ＤＤａに直交している。
【００４５】
軸部４２は、初期位置に位置している状態、即ち遊技者による操作が行われていない状態で、操作部前面ＣＰｂから前方に向けて、合わせ面ＤＤａに直交する方向に延びている。復帰ばね４３は、軸部４２と保持部４１との間に配置されており、軸部４２を初期位置に向けて付勢する。軸部４２が初期位置から上下左右方向へ傾動すると、傾動センサ４５が制御基板１０（図４参照）に出力する検知信号がＯＦＦ状態からＯＮ状態に変化する。なお、軸部４２は、初期位置に位置している状態で合わせ面ＤＤａに厳密に直交する方向に延びているものに限定されない。軸部は、例えば、自重によって前端が下がり、合わせ面に直交する方向に対して０〜３°程度傾斜していてもよい。
【００４６】
［前面下扉及び清算ボタン及びシングルベットボタンの詳細］
下扉ベースＤＢは、合わせ面ＤＤａに直交する方向に延びて操作部前面ＣＰｂに形成され、図１に示す清算ボタンＢＳが挿入された清算ボタン用貫通孔（不図示）と、図１に示すシングルベットボタンＢＴが挿入されたシングルベットボタン用貫通孔（不図示）と、を有する。また、図１に示すように、下扉ベースＤＢは、清算ボタン用貫通孔の前端側の開口の周囲に合わせ面ＤＤａに平行となるように形成された清算ボタン周囲面ＤＢｐと、シングルベットボタン用貫通孔の前端側の開口の周囲に合わせ面ＤＤａに平行となるように形成されたシングルベットボタン周囲面ＤＢｑと、を有する。
【００４７】
［前面下扉及びストップボタンユニットの詳細］
図１、図７乃至図９に示すように、下扉ベースＤＢは、ストップボタンユニットＢＵが取付けられるボタンユニット取付面ＤＢｅ、ストップボタンユニットＢＵを下扉ベースＤＢに取付けるためのねじが挿入される複数のボタンユニット取付穴ＤＢｆを有している。なお、図９は、ストップボタンＢ２の中心で切断した図１におけるＣ−Ｃ断面図であるが、ストップボタンＢ１及びストップボタンＢ３の中心で切断した断面図も同様であるため、ストップボタンＢ１及びストップボタンＢ３については、図示を省略する。
【００４８】
ボタンユニット取付面ＤＢｅは、前方を向いて合わせ面ＤＤａに平行となるように形成されており、ストップボタンユニットＢＵに当接している。複数のボタンユニット取付穴ＤＢｆは、ボタンユニット取付面ＤＢｅから後方に向かって延びており、合わせ面ＤＤａに直交する方向に沿って形成されている。即ち、複数のボタンユニット取付穴ＤＢｆの中心線ＤＢｆＬは、合わせ面ＤＤａに直交している。
【００４９】
ストップボタンユニットＢＵは、前方から下扉ベースＤＢの操作部ＣＰに取付けられてねじ留めされ、操作部ＣＰに取付けられたボタンカバーによってストップボタンＢ１〜ストップボタンＢ３の周囲の前方側が被覆されている。ボタンカバーＢＣは、ストップボタンＢ１〜ストップボタンＢ３が貫通するボタン用貫通孔ＢＣａ、及びストップボタンＢ１〜ストップボタンＢ３のそれぞれのボタン用貫通孔ＢＣａの前端側の開口の周囲に、合わせ面ＤＤａと平行に形成された貫通孔周囲面ＢＣｂを有し、合成樹脂によって形成されている。下扉ベースＤＢに取付けられた状態で、ボタン用貫通孔ＢＣａは、後述するガイド穴３２ａの中心線３２ａＬと平行に延びるように形成されている。即ち、ボタン用貫通孔ＢＣａの中心線ＢＣａＬは、ガイド穴３２ａの中心線３２ａＬに平行となっている。また、貫通孔周囲面ＢＣｂは、中心線ＢＣａＬに直交するように形成されている。
【００５０】
図７乃至図９に示すように、ストップボタンユニットＢＵは、下扉ベースＤＢに取付けられるボタンベース３１、ストップボタンＢ１〜ストップボタンＢ３、ボタンガイド３２を有し、また、ストップボタンＢ１〜ストップボタンＢ３のそれぞれに対して、ボタンばね３３、及びストップボタンＢ１〜ストップボタンＢ３の移動に基づいて停止操作を検知する透過型の光学センサであるストップスイッチ３５を有している。
【００５１】
ボタンベース３１は、下扉ベースＤＢのボタンユニット取付面ＤＢｅに当接する当接面３１ａ、下扉ベースＤＢに取付けるためのねじが貫通する複数のねじ貫通孔３１ｂ、ボタンガイド３２を保持する複数のボタンガイド保持部３１ｃ、及びストップスイッチ３５が取付けられるスイッチ取付部３１ｄを有し、合わせ面ＤＤａに直交する方向を開き方向（抜き方向）とする金型を用いて射出成形によって形成されている。当接面３１ａは、ストップボタンユニットＢＵが下扉ベースＤＢに取付けられた状態で、合わせ面ＤＤａに平行となるように形成されている。複数のねじ貫通孔３１ｂは、ストップボタンユニットＢＵが下扉ベースＤＢに取付けられた状態で、合わせ面ＤＤａに直交する方向に延びるように形成されている。即ち、ねじ貫通孔３１ｂの中心線３１ｂＬは、合わせ面ＤＤａに直交している。ボタンベース３１は、ボタンガイド３２との間にストップスイッチ３５を収納した状態で、複数のボタンガイド保持部３１ｃによってボタンガイド３２を保持する。
【００５２】
ボタンガイド３２は、ストップボタンＢ１〜ストップボタンＢ３のそれぞれに対応して形成され、ストップボタンＢ１〜ストップボタンＢ３の移動を案内するボタンガイド穴としてのガイド穴３２ａを有し、合わせ面ＤＤａに直交する方向を開き方向（抜き方向）とする金型を用いて射出成形によって形成されている。また、ボタンガイド３２は、ストップボタンＢ１〜ストップボタンＢ３の前方への移動を規制する前方規制面３２ｂ、ストップボタンＢ１〜ストップボタンＢ３の後方への移動を規制する後方規制面３２ｃ、及びボタン周囲面３２ｄを有している。
【００５３】
ガイド穴３２ａは、ストップボタンユニットＢＵが下扉ベースＤＢに取付けられた状態で、前端側が開口すると共に合わせ面ＤＤａに直交する方向に対して、前方側が上向きとなるように延びており、合わせ面ＤＤａに直交する方向に対して傾斜する方向にストップボタンＢ１〜ストップボタンＢ３の移動を案内する。即ち、ガイド穴３２ａの中心線３２ａＬは、合わせ面ＤＤａに直交する方向に対して、前方側が上向きとなるように傾斜している。前方規制面３２ｂ及び後方規制面３２ｃは、中心線３２ａＬに直交するように形成されている。ボタン周囲面３２ｄは、ストップボタンＢ１〜ストップボタンＢ３のそれぞれのガイド穴３２ａの前端側の開口の周囲に、中心線３２ａＬに直交するように形成されている。
【００５４】
ストップボタンＢ１〜ストップボタンＢ３は、それぞれ、遊技者が押圧可能な押圧部としての押圧面Ｂａ、前方規制面３２ｂに当接可能な前方当接面Ｂｂ、後方規制面３２ｃに当接可能な後方当接面Ｂｄ、及びストップスイッチ３５の光軸を遮光するインデックスＢｅを有する。ストップボタンＢ１〜ストップボタンＢ３は、ガイド穴３２ａに案内されて、前方当接面Ｂｂが前方規制面３２ｂに当接する位置から、後方当接面Ｂｄが後方規制面３２ｃに当接する位置までの間で、中心線３２ａＬに沿って移動可能となっている。ボタンばね３３は、ストップボタンＢ１〜ストップボタンＢ３とボタンガイド３２との間に配置され、ストップボタンＢ１〜ストップボタンＢ３を前方に向けて付勢する。
【００５５】
ストップボタンＢ１〜ストップボタンＢ３は、遊技者によって、ボタンばね３３の付勢力に抗して押圧面Ｂａが後方に向けて押圧され、インデックスＢｅがストップスイッチ３５の光軸を遮光する位置まで移動することにより、ストップスイッチ３５が制御基板１０に出力するリール停止信号をＯＦＦ状態からＯＮ状態へ変化させる。また、ストップボタンＢ１〜ストップボタンＢ３は、遊技者が押圧面Ｂａから手を離すと、ボタンばね３３の付勢力によって前方に移動し、インデックスＢｅがストップスイッチ３５の光軸を遮光しない位置まで移動することにより、ストップスイッチ３５が制御基板１０に出力するリール停止信号をＯＮ状態からＯＦＦ状態へ変化させる。
【００５６】
［ストップボタンの押圧面］
図５及び図９に示すように、本実施形態におけるスロットマシン１において、押圧面Ｂａは、前方に向けて膨出する曲率の大きな球面状（例えば、半径が１００ｍｍ以上の球面状）に形成されており、押圧されていない初期位置に位置している状態で、合わせ面ＤＤａよりも上向きとなるように傾斜して設置されている。具体的には、押圧面Ｂａは、中心（中央部）Ｂｆにおける面直方向（垂線方向）Ａが、合わせ面ＤＤａと直交する方向よりも、前方側が上向きとなるように傾斜して設置されている。より具体的には、押圧面Ｂａは、面直方向Ａがガイド穴３２ａの中心線３２ａＬに沿う方向、即ち押圧面Ｂａの押圧方向となるように（中心線３２ａＬと平行になるように）設置されている。近年、表示装置の大型化やリールの大型化等に伴ってストップボタンが下方に配置される傾向があるが、本実施形態においては、押圧面Ｂａが上向きとなるように傾斜して設置されていることにより、遊技者がやや下方に向けてストップボタンＢ１〜ストップボタンＢ３を押圧可能となり、ストップボタンＢ１〜ストップボタンＢ３の操作性の向上を図ることを可能としている。
【００５７】
望ましくは、押圧面Ｂａを、筐体ＢＸの下面ＢＸｂに対して７５°から８６°の範囲で傾斜させて設置する。より望ましくは、押圧面Ｂａを、筐体ＢＸの下面ＢＸｂに対して７８°から８２°の範囲で傾斜させて設置する。これにより、従来機の操作に慣れている遊技者が操作に違和感を覚えることを抑制しつつ、一般的な高さに設置されたスロットマシン１を平均的な体格の遊技者が操作する際、操作しやすい方向へストップボタンＢ１〜ストップボタンＢ３が移動するように構成することが可能となり、高い操作性を得ることを可能としている。
【００５８】
また、本実施形態においては、押圧面Ｂａの面直方向Ａが、初期位置に位置しているスタートレバーＳＬの軸部４２の中心線４２Ｌの方向（軸方向）よりも、前方側が上向きとなるように傾斜して設置されている。即ち、押圧面Ｂａが、初期位置に位置している軸部４２の軸方向と直交する仮想平面Ｓ３よりも、上向きとなるように傾斜して設置されている。即ち、押圧面Ｂａの面直方向Ａは、合わせ面ＤＤａと直交する仮想平面Ｓ２（図２参照）よりも、前方側が上向きとなるように傾斜している。
【００５９】
望ましくは、押圧面Ｂａの面直方向Ａを、初期位置に位置しているスタートレバーＳＬの軸部４２の中心線４２Ｌの方向に対し、１°から１０°の範囲で傾斜させて設置する。より望ましくは、押圧面Ｂａの面直方向Ａを、初期位置に位置しているスタートレバーＳＬの軸部４２の中心線４２Ｌの方向に対し、３°から７°の範囲で傾斜させて設置する。これにより、スタートレバーＳＬの軸部４２の方向、下扉ベースＤＢの金型の抜き方向、合わせ面ＤＤａの方向等にとらわれず、ストップボタンＢ１〜ストップボタンＢ３を操作しやすい方向に設置することが可能となり、操作性の向上を図ることを可能としている。また、スタートレバーＳＬ及び押圧面Ｂａがこのような角度に設置されていることにより、スタートレバーＳＬを上方から下方に向けて傾動させる傾動操作の後、やや上方からストップボタンＢ１〜ストップボタンＢ３を操作するように、スタートレバーＳＬからストップボタンＢ１〜ストップボタンＢ３を流れるように操作することが可能となり、操作性の向上を図ることを可能としている。
【００６０】
押圧面Ｂａの上下方向の中心Ｂｆ（図９参照）の位置は、スタートレバーＳＬのグリップ４４の中心である４４ｃ（グリップ４４の前端である４４ａ、図５参照）の上下方向の位置よりもやや上方に配置されている。これにより、遊技者が上方から下方に向けてスタートレバーＳＬの開始操作を行った後にストップボタンＢ１〜ストップボタンＢ３の停止操作を行う際、手の上下方向の移動量を少なくすることができ、ストップボタンＢ１〜ストップボタンＢ３の操作性の向上を図っている。
【００６１】
また、本実施形態の前面扉ＦＤは、ボタンユニット取付面ＤＢｅ、レバー取付面ＤＢｊ及びレバー周囲面ＤＢｎが、合わせ面ＤＤａに平行、即ち金型の開き方向に直交するように形成されている。これにより、下扉ベースＤＢ、ボタンベース３１及びボタンガイド３２は、上記各面が合わせ面ＤＤａと交差するように形成される場合と比較して、形状の簡略化を図ることが可能となるため、部品設計における設計コストの低減及び寸法精度の向上を図ることが可能となり、製品の歩留まりを向上して、生産コストの低減を図ることを可能としている。
【００６２】
また、本実施形態の前面扉ＦＤは、複数のボタンユニット取付穴ＤＢｆ、複数のレバー取付穴ＤＢｋ及びレバー用貫通孔ＤＢｍが、合わせ面ＤＤａに直交する方向に延びるように形成されている。これにより、下扉ベースＤＢ、ボタンベース３１、ボタンガイド３２及び保持部４１は、上記各面が合わせ面ＤＤａと交差するように形成される場合と比較して、形状の簡略化を図ることが可能となるため、設計コストの低減及び寸法精度の向上を図ることを可能としている。
【００６３】
なお、複数のボタンユニット取付穴ＤＢｆ、複数のレバー取付穴ＤＢｋ及びレバー用貫通孔ＤＢｍの各中心線は、合わせ面ＤＤａと厳密に直交するように形成されているものに限定されない。複数の施錠ユニット取付穴、シリンダ用貫通孔、複数のボタンユニット取付穴、複数のレバー取付穴、レバー用貫通孔、清算ボタン用貫通孔及びシングルベットボタン用貫通孔は、射出成型において合わせ面と直交する方向に型抜き可能な形状であればよい。また、例えば、複数のボタンユニット取付穴、複数のレバー取付穴及びレバー用貫通孔は、合わせ面に直交する方向に対して内面に０〜３°程度の抜き勾配が形成されていてもよいし、各孔の抜き勾配は１つの孔において一定でなくてもよい。
【００６４】
［リールユニットの詳細］
次に、リールユニット３１０の詳細について説明する。図４に示すように、筐体ＢＸは、側方に配置された左右の側板ＢＸｅ，ＢＸｆを有している。側板ＢＸｅ，ＢＸｆ間には、上フレーム１１及び中フレーム１２が上下方向に離間して架け渡されている。
【００６５】
リールユニット３１０は、上フレーム１１及び中フレーム１２にねじ留めされるリールベースＢＡと、リールベースＢＡに保持され、第１リールＲ１〜第３リールＲ３のそれぞれに設けられて各リールを回転駆動するステッピングモータＭと、各ステッピングモータＭの駆動軸に支持された第１リールＲ１〜第３リールＲ３と、第１リールＲ１〜第３リールＲ３のそれぞれに対応して設けられて各リールの回転位置を検出するための透過型の光学センサであるリールセンサ２６（図１０参照）と、を有する。また、リールユニット３１０は、リールベースＢＡに保持され、第１リールＲ１〜第３リールＲ３のそれぞれに設けられて各リールを内側から前方に向けて照明する複数のＬＥＤを有するバックライトとしてのリールバックライト基板ＢＬと、リールバックライト基板ＢＬからの光を反射して前方に案内するリフレクタＲＬと、を有する。
【００６６】
図１０に示すように、第１リールＲ１〜第３リールＲ３は、それぞれ、リールフレームＦＲと、複数の図柄が長手方向に沿って配置された薄い帯状のリールテープ（Ｔ１，Ｔ２，Ｔ３）と、インデックス部２７と、を有する。インデックス部２７は、リールセンサ２６の光軸を遮蔽可能にリールフレームＦＲに保持されており、リールセンサ２６の光軸を遮蔽及び透過するタイミングによってリールセンサ２６に各リールの回転位置を検出させる。
【００６７】
リールフレームＦＲは、ステッピングモータＭの回転軸に取付けられるハブ部２４と、第１円環部（円環部）としての第１リム部２１及び第２円環部（円環部）としての第２リム部２２と、これら第１及び第２リム部２１，２２の間を接続する複数の接続部２３と、複数のスポーク部２５と、を有し、透光性が高い（本実施の形態では透明な）合成樹脂によって一体的に形成されている。
【００６８】
第１リム部２１及び第２リム部２２は、ステッピングモータＭの回転軸と同心の円環状に形成され、左右方向、即ちリールテープＴ１〜リールテープＴ３の長手方向Ｂと直交する短手方向（幅方向）Ｃに離間して配置されている。接続部２３は、第１リム部２１及び第２リム部２２の円周上の異なる位置に複数設けられて、第１リム部２１及び第２リム部２２の間を架け渡すように短手方向Ｃに沿って延在し、第１リム部２１及び第２リム部２２を接続している。
【００６９】
なお、リールフレームは、接続部を有しておらず、第１リム部と第２リム部とが独立して形成され、リールテープによって第１リム部と第２リム部とが接続されるように構成されていてもよい。また、リールフレームは、着色された合成樹脂によって形成されていてもよく、着色された合成樹脂（例えば黒色の合成樹脂）によって形成されている場合、上述のインデックス部をリールフレームと一体的に形成することが可能となる。
【００７０】
スポーク部２５は、第１リム部２１及び第２リム部２２の円周上の異なる位置に複数設けられて、第１リム部２１及び第２リム部２２のいずれかとハブ部２４とを接続し、ステッピングモータの回転力をハブ部２４から第１リム部２１及び第２リム部２２へ伝達する。本実施形態では、スポーク部２５は、ハブ部２４と第１リム部２１とを接続している。
【００７１】
第１リム部２１及び第２リム部２２のそれぞれの外周には、左右方向に所定の幅ｊ１，ｊ２（例えば３．５ｍｍ〜６．５ｍｍ程度、図１３参照）を有して形成され、リールテープＴ１〜リールテープＴ３の内面（裏面）に当接してリールテープＴ１〜リールテープＴ３の左右端部をリールの径方向に支持する円筒面状の端部支持面（当接面）２１ａ，２２ａが形成されている。本実施形態においては、第１リム部２１及び第２リム部２２は、端部支持面２１ａの幅ｊ１及び端部支持面２２ａの幅ｊ２が略同一の寸法となるように形成されている。なお、第１リム部及び第２リム部は、互いの端部支持面の幅が異なる寸法となるように形成されていてもよい。
【００７２】
また、第１リム部２１及び第２リム部２２は、端部支持面２１ａ，２２ａよりも左右方向の外側に、リールテープＴ１〜リールテープＴ３の短手方向端に当接可能なフランジ部２１ｂ、２２ｂを有している。フランジ部２１ｂ、２２ｂは、例えば、左右方向に０．７ｍｍ〜１．５ｍｍ程度の幅となるように形成されており、リールテープＴ１〜リールテープＴ３の左右方向の位置を規制している。接続部２３には、第１リム部２１及び第２リム部２２の端部支持面２１ａ，２２ａと連続し、第１リム部２１及び第２リム部２２の間でリールテープＴ１〜リールテープＴ３をリールの径方向に支持するための接続支持面２３ａが形成されている。端部支持面２１ａ，２２ａ及び接続支持面２３ａによって、リールテープＴ１〜リールテープＴ３をリールの径方向に支持する支持面ＦＲａが形成されている。
【００７３】
［リールテープの詳細］
リールテープＴ１〜リールテープＴ３は、それぞれ図柄の配置（図柄が並ぶ順番）が異なるように、透明な合成樹脂製の基材６０の裏面に、例えば、複数層のスクリーン印刷等によって図柄等が印刷されており、円筒状（無端状）になるようにリールフレームＦＲの支持面ＦＲａに巻き回されている。リールテープＴ１〜リールテープＴ３は、図柄の配置や後述する識別表示７０が異なり、他の構成は同様であるため、以下、リールテープＴ１を例に説明し、リールテープＴ２及びリールテープＴ３の詳細については省略する。
【００７４】
図１１（ａ）はリールテープＴ１を表面側から見た図であり、図１１（ｂ）はリールテープＴ１を裏面側から見た図である。図１１（ａ）及び（ｂ）に示すように、リールテープＴ１は、透明な基材６０に対し、裏面に近い側から順番に、複数の図柄を形成する印刷、表面から視て図柄の周囲に背景部Ｈを形成する背景印刷６１、リールバックライト基板ＢＬからの光を遮蔽するための遮光印刷６２、リールバックライト基板ＢＬからの光を拡散するための拡散印刷６４が積層されて形成されている。
【００７５】
上記リールテープＴ１は、長手方向Ｂにおける一方側の端部Ｔ１１に対して長手方向Ｂにおける他方側の端部Ｔ１２が外側から重なるような形でリールフレームＦＲに巻回されており、上記背景印刷６１及び遮光印刷６２は、リールテープＴ１の長手方向Ｂにおける他端側については、その端（以下、他方端という）Ｔ１ｂまで印刷されているが、長手方向Ｂにおける一端側については、リールテープＴ１の端（以下、一方端という）Ｔ１ａの手前で印刷が終わっている。
【００７６】
このため、長手方向ＢにおけるリールテープＴ１の一方側の端部Ｔ１１には、上記図柄の印刷、背景印刷６１及び遮光印刷６２が行われていない透明部６３が形成されている。また、リールテープＴ１に形成される複数の図柄は、リールフレームＦＲに取り付けられた状態で表面（外面）から視認可能となるように、リールテープＴ１の長手方向Ｂに沿って一列状に並んで配置されており、これら複数の図柄には、第１図柄Ｐ１（図柄「７」）、第２図柄Ｐ２図柄（図柄「チェリー」）、第３図柄Ｐ３（図柄「スイカ」）、第４図柄Ｐ４（図柄「リプレイ」）、第５図柄Ｐ５（図柄「ベル」）及び第６図柄Ｐ６（図柄「ＢＡＲ」）などを含んでいる。なお、リールテープＴ１〜リールテープＴ３に配置されている各図柄は、機種固有にデザインされた数字、文字列、フルーツ、キャラクタ等や、これらの組合せからなる。また、以下の説明において、上記複数の図柄の内、一方側の端に形成された図柄を０番図柄、他方側の端に形成された図柄を１番図柄ともいう。なお、リールテープには、第１図柄〜第５図柄がそれぞれ複数配置されていてもよいし、１つずつ配置されていてもよい。
【００７７】
上記第１図柄Ｐ１（図柄「７」）は、少なくとも短手方向Ｃにおいて他の図柄よりも大きく形成されており、リールの回転中における視認性が高い図柄となっている。また、第１図柄Ｐ１は、第１の塗料によって形成されてリールバックライト基板ＢＬからの光を透過しやすい透光部Ｐ１ｂと、第１の塗料とは異なる第２の塗料によって透光部Ｐ１ｂの周囲に形成された縁部Ｐ１ａと、を有している。第１の塗料は、例えば、リールバックライト基板ＢＬからの光が透過可能な塗料である。第２の塗料は、例えば、第１の塗料よりも光が透過しにくい明度の低い塗料（黒色、暗灰色、濃紺等の塗料）や、金属光沢を有する塗料（金、銀等の塗料）等である。
【００７８】
第２図柄Ｐ２（図柄「チェリー」）も第１図柄Ｐ１と同様に、第１の塗料によって形成されてリールバックライト基板ＢＬからの光を透過しやすい透光部Ｐ２ｂと、第１図柄Ｐ１の縁部Ｐ１ａと同一色である第２の塗料によって透光部Ｐ２ｂの周囲に形成された縁部Ｐ２ａと、縁部Ｐ２ａと透光部Ｐ２ｂとの間に形成された内部Ｐ２ｃと、を備えている。第６図柄Ｐ６（図柄「ＢＡＲ」）は、短手方向Ｃにおいて第１図柄Ｐ１と略同サイズとなるように形成されており、第１図柄Ｐ１とは異なる色の第１の塗料によって形成されてリールバックライト基板ＢＬからの光を透過しやすい透光部Ｐ６ｂと、第１図柄Ｐ１の縁部Ｐ１ａと同一色である第２の塗料によって透光部Ｐ６ｂの周囲に形成された縁部Ｐ６ａと、縁部Ｐ６ａと透光部Ｐ６ｂとの間に形成された内部Ｐ６ｃと、を備えている。
【００７９】
なお、第１図柄Ｐ１の縁部Ｐ１ａ、第２図柄Ｐ２の縁部Ｐ２ａ及び第６図柄Ｐ６の縁部Ｐ６ａは、互いに完全に同一色となるように形成されているものに限定されない。これら縁部は、少なくとも互いに同系色となるように形成されていればよい。ここで、同系色とは、同一色の他、類似色、例えば、赤に対するマゼンタ、青に対するシアン、黒に対するグレー等を含む色である。具体的には、同系色とは色差（ΔＥ＊ａｂ）が小さい色であり、好ましくは、色差が１０未満、より好ましくは、５．０未満となる色である。なお、ΔＥ＊ａｂは、ΔＥ＊ａｂ＝√（（ΔＬ＊）２＋（Δａ＊）２＋（Δｂ＊）２）で表される値であり、値が大きいほど目視したときの色の違いが大きい。
【００８０】
上記第１図柄Ｐ１の透光部Ｐ１ｂ、第２図柄Ｐ２の透光部Ｐ２ｂ、第２図柄Ｐ２の内部Ｐ２ｃ、第６図柄Ｐ１の透光部Ｐ６ｂ、及び第６図柄Ｐ６の内部Ｐ６ｃは、背景部Ｈよりもリールバックライト基板ＢＬからの光が透過しやすくなっており、視認した際に輝いて見えるため、視認性が高くなっている。本実施の形態においては、これら第１図柄Ｐ１、第２図柄Ｐ２及び第６図柄Ｐ６のように視認性の高い透光部を有する図柄を特定図柄というものとする。また、特に第１図柄Ｐ１を第１特定図柄、第６図柄Ｐ６を第２特定図柄ともいうものとする。なお、縁部Ｐ１ａ、縁部Ｐ２ａ及び縁部Ｐ６ａは、塗料によって形成されたものに限定されず、例えば、めっきやアルミ蒸着等による金属皮膜によって形成されていてもよい。
【００８１】
背景印刷６１は、リールバックライト基板ＢＬからの光が透過可能な塗料によって、図柄の一部（第１図柄Ｐ１の透光部Ｐ１ｂ及び第２図柄Ｐ２の透光部Ｐ２ｂに対して、リールテープＴ１の厚さ方向（リールフレームＦＲに巻き回された状態におけるリールの径方向）に重なる範囲）と透明部６３とを除く範囲に行われており、図柄の周囲に表面から視認される背景部Ｈを形成している。例えば、背景部Ｈは、白、乳白色、薄い青、薄い紫色、薄いピンク色等、明度の高い色となるように形成されている。これにより、リール照明装置ＬＴ（図３参照）からの光を反射させやすくして、リールの図柄の視認性の向上を図っている。また、背景部Ｈは、第１図柄Ｐ１の縁部Ｐ１ａ、第２図柄Ｐ２の縁部Ｐ２ａ及び第６図柄Ｐ６の縁部Ｐ６ａとの明度の差を大きくすることによって、リールの図柄の視認性の向上を図っている。なお、背景部は、単一色で形成されているものに限定されず、例えば、図柄に隣接する部分と第１リム部や第２リム部と重なる部分とは、異なる色で形成されていてもよいし、第１リム部や第２リム部と重なる部分は、図柄に隣接する部分よりも明度の低い色で形成されていてもよい。
【００８２】
遮光印刷６２は、リールバックライト基板ＢＬからの光が透過しにくい塗料によって、図柄の一部（第３図柄Ｐ３、第１図柄Ｐ１の透光部Ｐ１ｂ、第２図柄Ｐ２の内部Ｐ２ｃ及び第２図柄Ｐ２の透光部Ｐ２ｂに対してリールテープＴ１の厚さ方向に重なる範囲）と透明部６３とを除く範囲に行われている。
【００８３】
第２図柄Ｐ２（図柄「チェリー」）及び第３図柄Ｐ３（図柄「スイカ」）は、内部抽選の結果等に応じて所定のタイミングで停止ボタンを停止操作した場合に有効ライン上又は表示窓ＤＷ内に表示可能な図柄で、遊技者に有利な抽選の契機となるチャンス役の図柄組み合わせや、遊技者に有利な特典が付与される契機となる図柄組み合わせの一部を構成している。第２図柄Ｐ２の内部Ｐ２ｃ及び第３図柄Ｐ３は、リールテープＴ１の厚さ方向に重なる範囲に遮光印刷６２が行われていないことによって、遮光印刷６２が行われている部分、例えば、背景部Ｈ、第４図柄Ｐ４、第５図柄Ｐ５、第１図柄Ｐ１の縁部Ｐ１ａ、第２図柄Ｐ２の縁部Ｐ２ａ、第６図柄Ｐ６の縁部Ｐ６ａ等よりも、リールバックライト基板ＢＬからの光が透過しやすくなっている。これにより、リールの回転中における第２図柄Ｐ２及び第３図柄Ｐ３の視認性の向上を図っている。なお、第２図柄の内部Ｐ２ｃ、第６図柄の内部Ｐ６ｃ及び第３図柄Ｐ３と遮光印刷とは一部がリールテープＴ１の厚さ方向に重なっていてもよいし、第１図柄Ｐ１の縁部Ｐ１ａ、第２図柄Ｐ２の縁部Ｐ２ａ及び第６図柄Ｐ６の縁部Ｐ６ａと遮光印刷とは一部がリールテープＴ１の厚さ方向に重なっていなくてもよい。
【００８４】
また、第１図柄Ｐ１の透光部Ｐ１ｂ、第２図柄Ｐ２の透光部Ｐ２ｂ及び第６図柄Ｐ６の透光部Ｐ６ｂは、リールテープＴ１の厚さ方向に重なる範囲に背景印刷６１及び遮光印刷６２が行われていないことによって、透明部６３よりもリールバックライト基板ＢＬからの光が透過しにくく、かつ、リールテープＴ１の厚さ方向に重なる範囲に背景印刷６１又は遮光印刷６２が行われている部分、例えば、背景部Ｈ、第３図柄Ｐ３〜第５図柄Ｐ５、第１図柄Ｐ１の縁部Ｐ１ａ、第２図柄Ｐ２の縁部Ｐ２ａ及び第２図柄Ｐ２の内部Ｐ２ｃよりもリールバックライト基板ＢＬからの光が透過しやすくなっている。これにより、リールの回転中における透光部Ｐ１ｂ及び透光部Ｐ２ｂの視認性の向上を図っている。なお、第１図柄Ｐ１は、内部抽選の結果等に応じて所定のタイミングで停止ボタンを停止操作した場合に有効ライン上又は表示窓ＤＷ内に表示可能な図柄で、遊技者にとって有利な状態、例えばボーナス状態やＡＴ状態（アシスト状態）へ移行する契機となる図柄組み合わせの一部を構成する。
【００８５】
また、第１図柄Ｐ１の縁部Ｐ１ａ、第２図柄Ｐ２の縁部Ｐ２ａ及び第６図柄Ｐ６の縁部Ｐ６ａは、背景印刷６１及び遮光印刷６２が重なっている背景部Ｈよりも図柄の印刷が多い分、リールバックライト基板ＢＬからの光が透過しにくくなっている。これにより、リールの回転中における、縁部Ｐ１ａと透光部Ｐ１ｂ、縁部Ｐ２ａと内部Ｐ２ｃ、縁部Ｐ２ａと透光部Ｐ２ｂ、縁部Ｐ６ａと内部Ｐ６ｃ、縁部Ｐ６ａと透光部Ｐ６ｂとの明るさの差を大きくし、透光部Ｐ１ｂ、内部Ｐ２ｃ、透光部Ｐ２ｂ、内部Ｐ６ｃ及び透光部Ｐ６ｂの視認性の向上を図っている。
【００８６】
このように、本実施形態におけるリールテープＴ１は、透明部６３＞（透光部Ｐ１ｂ、透光部Ｐ２ｂ、透光部Ｐ６ｂ）＞（内部Ｐ２ｃ、内部Ｐ６ｃ、第３図柄Ｐ３）＞背景部Ｈ＞（第４図柄Ｐ４、第５図柄Ｐ５、縁部Ｐ１ａ、縁部Ｐ２ａ、縁部Ｐ６ａ）の順に、リールバックライト基板ＢＬからの光が透過しやすくなっている。
【００８７】
なお、第１図柄Ｐ１の縁部Ｐ１ａは、透光部Ｐ１ｂと隣接するように形成されているものに限定されない。また、縁部Ｐ１ａは、背景部Ｈよりも光が透過しにくいものに限定されない。複数の図柄のうちいずれかの特定図柄が、背景部よりもバックライトからの光が透過しやすい透光部と、透光部の周囲に形成されて透光部よりもバックライトからの光が透過しにくい縁部と、を有していればよく、例えば、第１図柄の縁部の内側に形成された領域の一部に背景部よりもバックライトからの光が透過しやすい透光部を有していてもよい。また、縁部は、背景部よりも光が透過しやすいものであっても透過しにくいものであってもよい。
【００８８】
拡散印刷６４は、少なくとも第１図柄Ｐ１の透光部Ｐ１ｂ及び第２図柄Ｐ２の透光部Ｐ２ｂと重なる範囲に施されている。拡散印刷６４は、所謂チヂミ印刷と呼ばれるもので、紫外線硬化型の透明な硬化材塗料を厚く塗布し、紫外線を照射して塗料を硬化収縮させることにより、表面に細かい凹凸を形成したものである。これにより、拡散印刷６４が施された領域をリールバックライト基板ＢＬからの光が透過する際、光を不規則的に屈折及び反射させて拡散させることが可能となり、例えば、透光部Ｐ１ｂ及び透光部Ｐ２ｂを透過する光によって遊技者が眩しさを感じることの抑制を図っている。なお、拡散印刷６４は、透光部Ｐ１ｂ及び透光部Ｐ２ｂ以外の部分とリールテープＴ１の厚さ方向に重なる範囲に行われていてもよい。
【００８９】
［リールテープの取付け構造］
次に、図１０、図１１（ａ）、（ｂ）及び図１２を参照しながら、リールテープＴ１〜リールテープＴ３の取付け構造について説明する。リールテープＴ１〜リールテープＴ３の取付け構造は同様であるため、以下、リールテープＴ１の取付け構造を例に説明し、リールテープＴ２及びリールテープＴ３の取付け構造の詳細については省略する。
【００９０】
図１０及び図１１（ａ）に示すように、リールテープＴ１の短手方向Ｃの両端部の裏面には、第１リム部２１の端部支持面２１ａ及び第２リム部２２の端部支持面２２ａに対してリールテープＴ１を接着するための接着剤が塗布されている。この接着剤は、リールテープＴ１の短手方向Ｃにおける一端Ｔ１ｃから内方へ距離ｂの範囲である第１接着領域６５１、及びリールテープＴ１の短手方向Ｃにおける他端Ｔ１ｄから内方へ距離ｂの範囲である第２接着領域６５２により形成された接着領域６５に塗布されている。例えば、距離ｂは、４ｍｍから６ｍｍの範囲の距離に設定されており、端部支持面２１ａ，２２ａよりも１ｍｍ程度（例えば０．５ｍｍ〜１．５ｍｍ）左右方向（短手方向Ｃ）に大きく形成されていることが望ましい。
【００９１】
リールフレームＦＲに巻き回されたリールテープＴ１は、接着領域６５に塗布された接着剤によって、内面（裏面）に形成された第１接着領域６５１と端部支持面２１ａとが接着され、内面に形成された第２接着領域６５２と端部支持面２２ａとが接着されて、リールフレームＦＲに保持される。なお、接着領域６５に塗布されている接着剤は、接着領域６５に均一に塗布されているものに限定されず、例えば、長手方向に所定の長さ（例えば４ｍｍ程度）で塗布された接着剤が所定の隙間（例えば１ｍｍ〜５ｍｍ程度）を存して繰り返し並べられるように塗布されていてもよい。
【００９２】
また、上述したようにリールテープＴ１は、長手方向Ｂの長さが、端部支持面２１ａ，２２ａの円周長さよりも長くなるように形成されており、長手方向Ｂにおける一方側の端部Ｔ１１に対して他方側の端部Ｔ１２がリールの径方向の外側から重なるようにリールフレームＦＲに巻き回されている。リールテープＴ１は、リールフレームＦＲに巻き回されている状態で、透明部６３と、１番図柄である第２図柄Ｐ２と、がリールの径方向に重なっている。
【００９３】
また、リールテープＴ１は、上記接着領域６５に塗布された接着剤とは別に、リールテープＴ１の長手方向Ｂにおける他方側の端部Ｔ１２を一方側の端部Ｔ１１に対して接着するために接着部材６６（図１１（ｂ）のハッチング部）を有している。この接着部材６６は、他方端Ｔ１ｂから内方へ距離ｃの範囲内に短手方向Ｃに沿って延在し、例えば、白、乳白色、透明等でリールバックライト基板ＢＬからの光が透過しやすい素材の両面テープや、リールテープＴ１の裏面に塗布された接着剤等から構成されている。リールテープＴ１は、このリールテープＴ１の長手方向Ｂにおける他方側の端部Ｔ１２における裏面において短手方向Ｃに延在した接着部材６６によって他方側の端部Ｔ１２と一方側の端部Ｔ１１とが密着した状態を維持することが可能となっている。なお、距離ｃは、例えば、８ｍｍから１２ｍｍの範囲の距離に設定される。
【００９４】
また、図１２に示すように、長手方向Ｂにおいて、リールテープＴ１の他方端（背景部Ｈの他方端）Ｔ１ｂから１番図柄である図柄Ｐ２までの距離ｅ１は、リールテープＴ１の他方端から上記接着部材６６の一方端までの距離ｃよりも小さくなっている。更に、本実施の形態においては、リールテープＴ１は、上記距離ｄの範囲において、背景部Ｈの長手方向Ｂにおける他方側の端部Ｈ１２（リールテープＴ１の他方側の端部Ｔ１２）と背景部Ｈの一方側の端部Ｈ１１とが、長手方向Ｂにおいて重なっている（図１２のハッチング部分）。例えば、距離ｄは、１ｍｍから６ｍｍの範囲の距離に設定されている。これにより、リールテープＴ１の長手方向Ｂの長さや、端部支持面２１ａ，２２ａの円周長さのばらつきを吸収し、背景部Ｈの他方側の端縁と一方側の端縁との間の継ぎ目からリールバックライト基板ＢＬの光が漏れることの防止を図っている。なお、背景部Ｈの長手方向Ｂにおける他方側の端部Ｈ１２と一方側の端部Ｈ１１とが重なる重なり領域６８は、リールの径方向内側から外側に視て、接続部２３（図１０参照）と重ならないように配置されていることが望ましい。
【００９５】
［図柄等の配置の詳細］
次に、図１１（ａ）、（ｂ）、図１２及び図１３を参照して、リールテープＴ１の図柄等の配置の詳細について説明する。背景部Ｈは、背景印刷６１と遮光印刷６２とが重なっていても、リールバックライト基板ＢＬからの光を僅かに透過させる。このため、リールテープＴ１の長手方向Ｂの他方側の端部Ｔ１２において、リールの径方向に視て背景部Ｈの一方側の端部Ｈ１１が重なっている図１２に示す重なり領域６８（図１２のハッチング部分）は、重なっていない領域よりもリールバックライト基板ＢＬからの光が透過しにくく、重なっていない領域よりも暗く見える。
【００９６】
このため、重なり領域６８と周囲に配置された図柄との位置関係によっては、光の透過しやすさの違いにより図柄の視認性が低下する虞や、重なり領域６８と重なっていない領域との明るさの違いが図柄のデザインの一部であるかのように遊技者が誤認する虞がある。本実施形態のリールテープＴ１では、図１２に示すように、１番図柄である第２図柄Ｐ２が、リールの径方向から視て背景部Ｈの長手方向Ｂにおける一方側の端部Ｈ１１と重ならないように配置されている。これにより、リールテープＴ１の他方側の端に配置されている１番図柄の視認性の向上を図っている。
【００９７】
なお、接着部材６６や接着領域６５の接着剤は光を透過しやすい材料が使用されているものの、接着部材６６がある部分や接着領域６５は、接着部材６６が無い部分と比較するとリールバックライト基板ＢＬからの光が透過しにくく、接着部材６６が無い部分や接着領域６５外よりも僅かに暗く見える。しかしながら、接着部材６６の長手方向Ｂの一方端（図１２における接着部材６６の下方端）の位置は、重なり領域６８の長手方向Ｂの一方端（背景部Ｈの一方端Ｔ１ｅ）よりも一方側（図１２の下方側）に位置している。このため、１番図柄である第２図柄Ｐ２を、リールの径方向から視て接着部材６６と重ならないように配置しようとすると、１番図柄を配置可能な領域の長手方向Ｂの長さが大きく減少する。
【００９８】
本実施形態のリールテープＴ１では、１番図柄である第２図柄Ｐ２が、リールの径方向から視て透光部Ｐ２ｂと接着部材６６及び接着領域６５とが重ならないように配置されている。なお、接着部材６６は、リールバックライト基板ＢＬからの光を透過しやすいため、透光部Ｐ２ｂよりも光を透過しにくい縁部Ｐ２ａにおいては接着部材６６がある部分と接着部材６６が無い部分との光の透過しやすさの差が小さく、図柄の視認性に与える影響が小さい。このため、本実施形態のリールテープＴ１では、１番図柄である第２図柄Ｐ２が、リールの径方向から視て縁部Ｐ２ａの一部と接着部材６６とが重なるように配置されている。
【００９９】
このように図柄が配置されることにより、リールテープＴ１の他方側の端に配置されている図柄（１番図柄）を大きくすることが可能になると共に、透光部Ｐ２ｂを透過する光が接着部材６６によって遮られることを防止し、図柄の視認性の向上及びデザイン性の向上を図っている。なお、１番図柄の内部は透光部よりも光を透過しにくいため、１番図柄は、リールの径方向から視て内部の一部と接着部材とが重なるように配置されていてもよい。
【０１００】
また、リールテープＴ１がリールフレームＦＲに巻き回されている状態で、長手方向Ｂにおける重なり領域６８の長さである距離ｄと、１番図柄である第２図柄Ｐ２とリールテープＴ１の他方端Ｔ１ｂとの距離ｅ２（例えば１ｍｍから６ｍｍまでの距離）と、リールテープＴ１の他方端Ｔ１ｂと０番図柄である第５図柄Ｐ５との距離ｅ１（例えば１ｍｍから６ｍｍまでの距離）と、はそれぞれ略同じ大きさとなっている。具体的には、それぞれの距離の差が１．５ｍｍ以下となっていることが望ましい。
【０１０１】
このように図柄が配置されることにより、リールテープＴ１の他方側の端に配置されている図柄（１番図柄）を大きくすることが可能となり、１番図柄を透過する光が重なり領域６８によって遮られることを防止し、また、リールテープＴ１の他方端Ｔ１ｂの位置が、長手方向Ｂにおける１番図柄と０番図柄との略中央に位置することとなるので、図柄の視認性の向上やリールの見栄えの向上が可能となる。
【０１０２】
また、図１１（ａ）に示すように、リールテープＴ１がリールフレームＦＲに巻き回されている状態で、複数個所で長手方向Ｂの一方に隣り合うように配置された所定の組合せの図柄、例えば、第４図柄Ｐ４と第５図柄Ｐ５は、図柄間の距離が、いずれも略同じ大きさである距離ｆ（例えば４ｍｍから８ｍｍの範囲の距離）となっている。具体的には、隣り合う同じ組合せの図柄間のそれぞれの距離の差は、１．５ｍｍ以下となっていることが望ましい。このように図柄が配置されることによって、同じ組合わせの図柄間の距離が共通の距離となるので、図柄の視認性の向上及び各リールの見栄えの向上を図っている。なお、リールフレームＦＲに巻き回されている状態で隣り合う図柄とは、０番図柄と１番図柄の組合わせを含む。また、図柄の組合わせは、第４図柄Ｐ４と第５図柄Ｐ５との組合わせに限定されず、他の図柄同士であってもよいし、所定の組合わせの図柄間の距離が複数のリールテープ間で略同じ大きさとなっていてもよい。
【０１０３】
リールの径方向内側から外側に視て、リールテープＴ１とリールフレームＦＲ（支持面ＦＲａ）とが重なっている部分は、重なっていない部分よりもリールバックライト基板ＢＬからの光を透過しにくく、重なっていない部分よりも暗く見える。このため、リールテープＴ１とリールフレームＦＲとが重なっている部分と図柄との位置関係によっては、光の透過しやすさの違いにより図柄の視認性が低下する虞や、重なっている部分と重なっていない部分との外観（明るさ）の違いが図柄のデザインの一部であるかのように遊技者が誤認する虞がある。
【０１０４】
本実施形態のリールテープＴ１では、図１３に示すように、第１図柄Ｐ１の透光部Ｐ１ｂは、リールの径方向内側から外側に視てリールフレームＦＲ及び接着領域６５と重ならないように配置されている。このように図柄が配置されることにより、透光部Ｐ１ｂを透過する光がリールフレームＦＲや接着領域６５によって遮られることを防止し、図柄の視認性の向上を図っている。なお、リールテープＴ１〜リールテープＴ３に配置されている図柄のうち、リールテープＴ１〜リールテープＴ３がリールフレームＦＲに巻き回されている状態で、背景部Ｈよりもリールバックライト基板ＢＬからの光を透過しやすい透光部のいずれも（例えば、第２図柄Ｐ２の透光部Ｐ２ｂ等）が、リールの径方向内側から外側に視てリールフレームＦＲと重ならないように配置されていることが望ましい。
【０１０５】
また、第１図柄Ｐ１の縁部Ｐ１ａは、第１図柄Ｐ１の透光部Ｐ１ｂよりもリールバックライト基板ＢＬからの光を透過しにくく、第２図柄Ｐ２の縁部Ｐ２ａは、第２図柄Ｐ２の透光部Ｐ２ｂよりもリールバックライト基板ＢＬからの光を透過しにくい。このため、リールの径方向内側から外側に視て、第１図柄Ｐ１の縁部Ｐ１ａ及び第２図柄Ｐ２の縁部Ｐ２ａと、リールフレームＦＲ（支持面ＦＲａ）や接着領域６５と、の重なる部分の有無は、第１図柄Ｐ１の縁部Ｐ１ａ及び第２図柄Ｐ２の縁部Ｐ２ａの外観への影響が小さい。本実施形態のリールテープＴ１では、第１図柄Ｐ１の縁部Ｐ１ａは、リールの径方向内側から外側に視て、第１リム部２１（端部支持面２１ａ）、第２リム部２２（端部支持面２２ａ）及び接続部２３（接続支持面２３ａ）とそれぞれ一部が重なるように配置されている。また、第１図柄Ｐ１の縁部Ｐ１ａは、リールの径方向内側から外側に視て、第１接着領域６５１及び第２接着領域６５２とそれぞれ一部が重なるように配置されている。このように図柄が配置されることにより、第１図柄Ｐ１を長手方向Ｂ及び短手方向Ｃに大きくすることが可能となり、図柄の視認性の向上及びデザイン性の向上を図っている。
【０１０６】
同様に、本実施形態のリールテープＴ１では、第６図柄Ｐ６の縁部Ｐ６ａ（図１１参照）は、リールの径方向内側から外側に視て、第１リム部２１（端部支持面２１ａ）及び第２リム部２２（端部支持面２２ａ）の両方と一部が重なるように配置されている（第１図柄Ｐ１と同様であるため、図示を省略）。このように図柄が配置されることにより、第６図柄Ｐ６を短手方向Ｃに大きくすることが可能となり、図柄の視認性の向上及びデザイン性の向上を図っている。
【０１０７】
なお、第１図柄Ｐ１の縁部Ｐ１ａ及び第６図柄Ｐ６の縁部Ｐ６ａは、第１リム部２１（端部支持面２１ａ）及び第２リム部２２（端部支持面２２ａ）の両方と一部が重なるように配置されているものに限定されない。第１図柄の縁部及び第６図柄の縁部は、第１リム部（端部支持面）及び第２リム部（端部支持面）の少なくとも一方と一部が重なるように配置されていればよい。同様に、第１図柄Ｐ１の縁部Ｐ１ａ及び第６図柄Ｐ６の縁部Ｐ６ａは、第１接着領域６５１及び第２接着領域６５２の両方と一部が重なるように配置されているものに限定されない。第１図柄の縁部及び第６図柄の縁部は、第１接着領域及び第２接着領域の少なくとも一方と一部が重なるように配置されていればよい。
【０１０８】
また、第２図柄Ｐ２の縁部Ｐ２ａ及び内部Ｐ２ｃや、第６図柄Ｐ６の縁部Ｐ６ａ及び内部Ｐ６ｃが、リールの径方向内側から外側に視て、リールフレームＦＲと一部が重なるように配置されていてもよいし、背景部よりもリールバックライト基板からの光を透過しやすい透光部を有する他の図柄が、透光部よりも光を透過しにくい部分において接続部、第１円環部、第２円環部と重なるように配置されていてもよい。
【０１０９】
図１１に示すように、リールテープＴ１の短手方向Ｃにおける第１リム部２１側の端である一端Ｔ１ｃと第１図柄Ｐ１とは、短手方向Ｃに所定距離離間しており、リールテープＴ１の短手方向Ｃにおける第２リム部２２側の端である他端Ｔ１ｄと第１図柄Ｐ１とは、短手方向Ｃに所定距離離間している。これにより、リールテープＴ１に第１図柄Ｐ１を印刷する際、一端Ｔ１ｃ側に距離ｇ１或いは他端Ｔ１ｄ側に距離ｇ２ずれてしまった場合であっても、第１図柄Ｐ１がリールテープＴ１からはみ出してしまうことの防止を図っている。
【０１１０】
さらに、一端Ｔ１ｃから第１図柄Ｐ１までの短手方向Ｃにおける距離ｇ１は、端部支持面２１ａの幅ｊ１（図１３参照）以下となっており、他端Ｔ１ｄから第１図柄Ｐ１までの短手方向Ｃにおける距離ｇ２は、端部支持面２２ａの幅ｊ２（図１３参照）以下となっている。これにより、リールテープＴ１に第１図柄Ｐ１を印刷する際の第１図柄Ｐ１の短手方向Ｃへのずれを許容しつつ、第１図柄Ｐ１を短手方向Ｃに大きくすることが可能となり、図柄の視認性の向上及びデザイン性の向上を図っている。なお、距離ｇ１及び距離ｇ２は、共に１ｍｍ以上かつ３ｍｍ以下であることが好ましい。
【０１１１】
なお、一端Ｔ１ｃ及び他端Ｔ１ｄから第６図柄Ｐ６までの短手方向Ｃにおける距離ｈ１，ｈ２については、一端Ｔ１ｃ及び他端Ｔ１ｄから第１図柄Ｐ１までの短手方向Ｃにおける距離ｇ１，ｇ２と同様であるため、説明を省略する。また、本実施形態において、距離ｇ１及び距離ｇ２は、一端Ｔ１ｃ及び他端Ｔ１ｄから第１図柄Ｐ１の縁部Ｐ１ａまでの短手方向Ｃにおける距離となっており、距離ｈ１及び距離ｈ２は、一端Ｔ１ｃ及び他端Ｔ１ｄから第６図柄Ｐ６の縁部Ｐ６ａまでの短手方向Ｃにおける距離となっているが、これに限定されない。第１図柄及び第６図柄は、長手方向Ｂ及び短手方向Ｃにおける縁部の外側に、縁部以外の印刷がされていてもよい。
【０１１２】
［識別表示］
次に、図１３及び図１４を参照して、透明部６３に設けられた識別表示７０について説明する。図１３に示すように、透明部６３は、リールテープＴ１の一方端Ｔ１ａから長手方向Ｂに沿った距離ａの範囲で、リールテープＴ１の一方端Ｔ１ａと、背景部Ｈの一方端Ｔ１ｅと、の間に形成されており、透明部６３には、第１リールＲ１〜第３リールＲ３のいずれのリールテープであるかを識別するための識別表示７０が印刷されている。具体的には、識別表示７０は、リールテープの印刷内容に固有の記号や文字列等からなり、リールテープを識別するためのものである。例えば、識別表示７０は、改訂識別部７１、機種識別部７２及びリール識別部７３を有している。識別表示７０は、リールの径方向に視て第１リム部２１の端部支持面２１ａ及び接着領域６５と重なる領域内において、透明部６３に配置されている。
【０１１３】
改訂識別部７１は、例えば、リールテープＴ１〜リールテープＴ３の印刷内容等の改訂の進度に応じた記号等、例えば、丸型、星型、多角形等の記号、数字、文字等からなり、リールテープＴ１〜リールテープＴ３の改訂の進度に係る情報を識別可能としている。機種識別部７２は、例えば、複数の文字を含むリールテープＴ１〜リールテープＴ３が使用される機種固有の文字列、例えば機種名の略称等を示す文字列からなり、リールテープＴ１〜リールテープＴ３が使用される機種に係る情報を識別可能としている。
【０１１４】
リール識別部７３は、例えば、取り付けられる第１リールＲ１〜第３リールＲ３に応じた値「１」〜値「３」のいずれかの数値からなり、第１リールＲ１〜第３リールＲ３のいずれのリールテープであるかを識別可能としている。これにより、リールテープＴ１〜リールテープＴ３がリールフレームＦＲに巻き回される前の単品の状態では、リールテープの改訂情報、機種情報及び第１リールＲ１〜第３リールＲ３のいずれのリールテープであるかを作業者が識別可能となっている。また、リールテープＴ１〜リールテープＴ３がリールフレームＦＲに巻き回されている状態では、識別表示７０がリールバックライト基板ＢＬからの光が透過しにくい接着領域６５や支持面ＦＲａと重なる領域内に配置されていることにより、識別表示７０を目立ちにくくしている。
【０１１５】
なお、識別表示は、少なくとも一部が端部支持面や接着領域と重なっていればよく、例えば、一部が端部支持面と重ならないように配置されていてもよいし、第２リム部２２の端部支持面と一部が重なるように配置されていてもよいし、リールテープの短手方向の両側に配置されていてもよい。また、識別表示は、改訂識別部、機種識別部及びリール識別部の少なくともいずれか１つを有していればよく、記号のみでも数字のみでもよいし、日本語の文字やラテン文字でもよいし、これらの組合わせであってもよい。
【０１１６】
図１４に示すように、識別表示７０は、文字や記号等の内部に複数の隙間７６が形成されるように複数のドット部７５が規則的に配置されたドット印刷によって構成されており、複数の隙間７６を介してリールバックライト基板ＢＬからの光を透過可能となっている。また、識別表示７０は、背景印刷６１（図１３参照）に使用されている塗料よりもリールバックライト基板ＢＬからの光を透過しやすい塗料で、かつ複数の図柄のいずれかに使用されている塗料によって基材６０の裏面に印刷されている。具体的には、識別表示７０は、黄色の塗料によって印刷されていることが望ましい。
【０１１７】
これにより、リールの径方向に視てリールテープＴ１〜リールテープＴ３と識別表示７０とが重なっている部分と重なっていない部分との外観（明るさ）の差を小さくし、リールフレームＦＲに巻き回されている状態で識別表示７０を目立ちにくくしている。なお、識別表示７０の色は、白や透光しやすい薄い色でもよいし、背景印刷の塗料と同じ色や、リールフレームが着色された合成樹脂によって形成されている場合、リールフレームの色と同系色としてもよい。具体的には、背景印刷が白色である場合、識別表示は白色の塗料によって印刷してもよいし、リールフレームが黒色である場合、識別表示は黒色の塗料によって印刷してもよい。このようにすることで、識別表示を目立ちにくくすることも可能である。
【０１１８】
また、識別表示は、各リールテープ毎に色分けして、色によって第１リールＲ１〜第３リールＲ３のいずれのリールテープであるかを識別可能としてもよい。また、塗料が付着する部分であるドット部７５は、円形であるものに限定されず、例えば、略楕円状、略正方形状、略長方形状、略六角形状など他の形状であってもよい。また、隣接するドット部同士は、接触するように配置されていてもよいし、離間するように配置されていてもよい。
【０１１９】
［本実施形態のまとめ］
本実施形態に係る遊技機（１）は、帯状に形成され、長手方向（Ｂ）に沿って特定図柄（Ｐ１，Ｐ６）を含む複数の図柄（Ｐ１，Ｐ２，Ｐ３，Ｐ４，Ｐ５，Ｐ６）が配置されると共に前記複数の図柄（Ｐ１，Ｐ２，Ｐ３，Ｐ４，Ｐ５，Ｐ６）の周囲に背景部（Ｈ）が形成されたリールテープ（Ｔ１，Ｔ２，Ｔ３）と、前記リールテープ（Ｔ１，Ｔ２，Ｔ３）が巻き回されて前記リールテープ（Ｔ１，Ｔ２，Ｔ３）を保持するフレーム（ＦＲ）と、を有するリール（Ｒ１，Ｒ２，Ｒ３）と、
前記フレーム（ＦＲ）に保持された状態の前記リールテープ（Ｔ１，Ｔ２，Ｔ３）を内側から照明するバックライト（ＢＬ）と、を備え、
前記フレーム（ＦＲ）は、短手方向（Ｃ）の両側で前記リールテープ（Ｔ１，Ｔ２，Ｔ３）の内面に当接する一対の円環部（２１，２２）を有し、
前記特定図柄（Ｐ１，Ｐ６）は、前記背景部（Ｈ）よりも前記バックライト（ＢＬ）からの光が透過しやすい透光部（Ｐ１ｂ，Ｐ６ｂ）と、前記透光部（Ｐ１ｂ，Ｐ６ｂ）の周囲に形成されて、前記透光部（Ｐ１ｂ，Ｐ６ｂ）よりも前記バックライト（ＢＬ）からの光が透過しにくい縁部（Ｐ１ａ，Ｐ６ａ）と、を有し、
前記透光部（Ｐ１ｂ，Ｐ６ｂ）は、前記一対の円環部（２１，２２）の両方と重ならないように配置され、
前記縁部（Ｐ１ａ，Ｐ６ａ）は、前記一対の円環部（２１，２２）のうち少なくとも一方の円環部（２１，２２）と重なるように配置され、
前記リールテープの前記一方の円環部（２１，２２）側の端（Ｔ１ｃ，Ｔ１ｄ）から前記特定図柄（Ｐ１，Ｐ６）までの前記短手方向（Ｃ）における距離（ｇ１，ｇ２，ｈ１，ｈ２）は、１ｍｍ以上かつ３ｍｍ以下である、ことを特徴とする。
【０１２０】
また、遊技機（１）は、帯状に形成され、長手方向（Ｂ）に沿って特定図柄（Ｐ１，Ｐ６）を含む複数の図柄（Ｐ１，Ｐ２，Ｐ３，Ｐ４，Ｐ５，Ｐ６）が配置されると共に前記複数の図柄（Ｐ１，Ｐ２，Ｐ３，Ｐ４，Ｐ５，Ｐ６）の周囲に背景部（Ｈ）が形成されたリールテープ（Ｔ１，Ｔ２，Ｔ３）と、前記リールテープ（Ｔ１，Ｔ２，Ｔ３）が巻き回されて前記リールテープ（Ｔ１，Ｔ２，Ｔ３）を保持するフレーム（ＦＲ）と、を有するリール（Ｒ１，Ｒ２，Ｒ３）と、
前記フレーム（ＦＲ）に保持された状態の前記リールテープ（Ｔ１，Ｔ２，Ｔ３）を内側から照明するバックライト（ＢＬ）と、を備え、
前記フレーム（ＦＲ）は、短手方向（Ｃ）の両側で前記リールテープ（Ｔ１，Ｔ２，Ｔ３）の内面に当接する一対の円環部（２１，２２）を有し、
前記特定図柄（Ｐ１，Ｐ６）は、前記背景部（Ｈ）よりも前記バックライト（ＢＬ）からの光が透過しやすい透光部（Ｐ１ｂ，Ｐ６ｂ）と、前記透光部（Ｐ１ｂ，Ｐ６ｂ）の周囲に形成されて、前記透光部（Ｐ１ｂ，Ｐ６ｂ）よりも前記バックライト（ＢＬ）からの光が透過しにくい縁部（Ｐ１ａ，Ｐ６ａ）と、を有し、
前記透光部（Ｐ１ｂ，Ｐ６ｂ）は、前記一対の円環部（２１，２２）の両方と重ならないように配置され、
前記縁部（Ｐ１ａ，Ｐ６ａ）は、前記一対の円環部（２１，２２）のうち少なくとも一方の円環部（２１，２２）と重なるように配置され、
前記リールテープの前記一方の円環部（２１，２２）側の端（Ｔ１ｃ，Ｔ１ｄ）から前記特定図柄（Ｐ１，Ｐ６）までの前記短手方向（Ｃ）における距離（ｇ１，ｇ２，ｈ１，ｈ２）は、１ｍｍ以上かつ前記一方の円環部（２１，２２）の前記リールテープ（Ｔ１，Ｔ２，Ｔ３）の内面に当接する当接面（２１ａ，２２ａ）の前記短手方向（Ｃ）における長さ（ｊ１，ｊ２）未満である、ことを特徴とする。
【０１２１】
これにより、第１図柄Ｐ１の透光部Ｐ１ｂ及び第６図柄Ｐ６の透光部Ｐ６ｂを透過するリールバックライト基板ＢＬからの光が第１リム部２１及び第２リム部２２によって遮られることを防止し、図柄の視認性を向上することが可能となる。また、リールバックライト基板ＢＬからの光が透過しにくい第１図柄Ｐ１の縁部Ｐ１ａ及び第６図柄Ｐ６の縁部Ｐ６ａが第１リム部２１及び第２リム部２２と重なるように配置されているので、第１図柄Ｐ１及び第６図柄Ｐ６を短手方向Ｃに大きくすることが可能となり、図柄の視認性及びデザイン性を向上することが可能となる。また、リールテープＴ１に第１図柄Ｐ１を印刷する際の第１図柄Ｐ１の短手方向Ｃへのずれを許容しつつ、第１図柄Ｐ１を短手方向Ｃに大きくすることが可能となり、図柄の視認性及びデザイン性を向上することが可能となる。
【０１２２】
［他の実施形態の可能性］
なお、本実施形態において、リールテープＴ１〜Ｔ３は、背景部Ｈにおいて背景印刷６１とリールバックライト基板ＢＬからの光を遮蔽するための遮光印刷６２とが重ねて印刷されているが、これに限定されない。背景部は、透光部よりもバックライトからの光が透過しにくくなっていればよく、例えば、背景印刷のみで形成されていてもよい。
【０１２３】
また、本実施形態において、リールテープＴ１には、最も他端側に配置された１番図柄として、図柄「チェリー」である第２図柄Ｐ２が配置されているが、これに限定されない。上述した図柄の形状や配置は一例であり、他の多様な図柄の形状及び配置が考えられる。例えば、最も他端側に配置された図柄は、図柄「７」である第１図柄や図柄「ＢＡＲ」である第６図柄であってもよいし、背景部よりも光が透過しやすい部分を有していなくてもよいし、図柄印刷が行われている領域の全体に背景印刷及び遮光印刷のいずれか又は両方が重なるように印刷されていてもよく、他の多様な形状や図柄の配置が考えられる。このように、本実施形態のリールテープＴ１と図柄の配置が異なる場合においては、１番図柄としての第１図柄や第６図柄の縁部は、接着部材と一部が重なるように配置されていてもよいし、１番図柄としての第１図柄や第６図柄の透光部は、接着部材と重ならないように配置されていてもよい。
【０１２４】
また、本実施形態において、背景部Ｈの長手方向Ｂの一方端Ｔ１ｅ、即ち、背景部Ｈと透明部６３との境界は、直線的に形成されているが、これに限定されない。背景部Ｈの長手方向Ｂの一方端は、リールフレームに巻き回された状態で、リールテープの他端よりも一方端側に形成されていればよく、例えば、背景部の長手方向の一方端は、一部が長手方向の一方側又は他方側にオフセットされていてもよいし、曲線で形成されていてもよい。
【０１２５】
また、本実施形態において、各図柄の印刷（特に縁部Ｐ１ａ，Ｐ２ａを除く部分）や背景印刷６１は、リールバックライト基板ＢＬからの光を透過する塗料によって行われているが、これに限定されない。各図柄や背景印刷が行われている領域をバックライトからの光が透過可能であればよく、例えば、各図柄の印刷や背景印刷６１が光を透過しにくい塗料の微小なドット（網点）の集合によって行われている印刷であってもよい。
【０１２６】
また、本実施形態において、第１図柄Ｐ１と第６図柄Ｐ６とは、形状及び縁部以外の色が異なるように形成されているが、これに限定されない。第１図柄と第６図柄とは、少なくとも外観が異なっていればよく、例えば、第１図柄と第６図柄とは、形状が同一で色のみが異なっていてもよいし、大きさのみが異なっていてもよい。
【０１２７】
また、本実施形態において、第１図柄Ｐ１の縁部Ｐ１ａと第６図柄Ｐ６の縁部Ｐ６ａとは、同一色となるように形成されているが、これに限定されない。例えば、第１図柄の縁部と第６図柄の縁部とは、互いに異系色となるように形成されていてもよい。なお、異系色とは、互いに類似しない色であり、例えば、色相、彩度、明度のうち少なくとも１つが互いに大きく異なる色、補色関係にある色、有彩色に対する無彩色、光沢度が異なる色（黒に対する銀色、黒に対する金色等）が含まれる。具体的には、異系色とは色差（ΔＥ＊ａｂ）が大きい色であり、好ましくは、色差が５．０以上、より好ましくは、１０以上となる色である。
【０１２８】
このような遊技機（１）は、帯状に形成され、長手方向（Ｂ）に沿って複数の図柄（Ｐ１，Ｐ２，Ｐ３，Ｐ４，Ｐ５，Ｐ６）が配置されると共に前記複数の図柄（Ｐ１，Ｐ２，Ｐ３，Ｐ４，Ｐ５，Ｐ６）の周囲に背景部（Ｈ）が形成されたリールテープ（Ｔ１，Ｔ２，Ｔ３）と、前記リールテープ（Ｔ１，Ｔ２，Ｔ３）が巻き回されて前記リールテープ（Ｔ１，Ｔ２，Ｔ３）を保持するフレーム（ＦＲ）と、を有するリール（Ｒ１，Ｒ２，Ｒ３）と、
前記フレーム（ＦＲ）に保持された状態の前記リールテープ（Ｔ１，Ｔ２，Ｔ３）を内側から照明するバックライト（ＢＬ）と、を備え、
前記フレーム（ＦＲ）は、短手方向（Ｃ）の両側で前記リールテープ（Ｔ１，Ｔ２，Ｔ３）の内面に当接する一対の円環部（２１，２２）を有し、
前記複数の図柄（Ｐ１，Ｐ２，Ｐ３，Ｐ４，Ｐ５，Ｐ６）には、第１特定図柄（Ｐ１）、及び前記第１特定図柄（Ｐ１）とは形状が異なる第２特定図柄（Ｐ６）を含み、
前記第１特定図柄（Ｐ１）及び前記第２特定図柄（Ｐ６）は、前記背景部（Ｈ）よりも前記バックライト（ＢＬ）からの光が透過しやすい透光部（Ｐ１ｂ，Ｐ６ｂ）と、前記透光部（Ｐ１ｂ，Ｐ６ｂ）の周囲に形成されて、前記透光部（Ｐ１ｂ，Ｐ６ｂ）よりも前記バックライト（ＢＬ）からの光が透過しにくい縁部（Ｐ１ａ，Ｐ６ａ）と、をそれぞれ有し、
前記第１特定図柄（Ｐ１）及び前記第２特定図柄（Ｐ６）の透光部（Ｐ１ｂ，Ｐ６ｂ）は、前記一対の円環部（２１，２２）の両方と重ならないように配置され、
前記第１特定図柄（Ｐ１）及び前記第２特定図柄（Ｐ６）の縁部（Ｐ１ａ，Ｐ６ａ）は、互いに異系色となるように形成され、それぞれ前記一対の円環部（２１，２２）のうち少なくとも一方の円環部（２１，２２）と重なるように配置されている、ことを特徴とする。
【０１２９】
これにより、第１図柄Ｐ１の透光部Ｐ１ｂを透過するリールバックライト基板ＢＬからの光が第１リム部２１及び第２リム部２２によって遮られることを防止し、図柄の視認性を向上することが可能となる。また、リールバックライト基板ＢＬからの光が透過しにくい第１図柄Ｐ１の縁部Ｐ１ａ及び第２図柄Ｐ２の縁部Ｐ２ａが第１リム部２１及び第２リム部２２と重なるように配置されているので、第１図柄Ｐ１及び第６図柄Ｐ６を短手方向Ｃに大きくすることが可能となり、図柄の視認性及びデザイン性を向上することが可能となる。また、第１図柄Ｐ１の縁部Ｐ１ａ及び第６図柄Ｐ６の縁部Ｐ６ａが異系色となるように形成されているため、第１図柄Ｐ１の縁部Ｐ１ａ及び第６図柄Ｐ６の縁部Ｐ６ａを区別しやすくして、視認性を向上することが可能となる。
【０１３０】
また、このように第１図柄Ｐ１の縁部Ｐ１ａ及び第６図柄Ｐ６の縁部Ｐ６ａが異系色となるように形成されている場合においても、第１図柄と第６図柄とは、形状が同一で色のみが異なっていてもよいし、大きさのみが異なっていてもよい。
【符号の説明】
【０１３１】
１      遊技機（スロットマシン）
２１    円環部（第１リム部）
２２    円環部（第２リム部）
２１ａ  端部支持面（当接面）
２２ａ  端部支持面（当接面）
Ｂ      長手方向
Ｃ      短手方向
ＢＬ    バックライト（リールバックライト基板）
ＦＲ    フレーム（リールフレーム）
Ｈ      背景部
Ｐ１    図柄（第１図柄）
Ｐ１ａ，Ｐ６ａ  縁部
Ｐ１ｂ，Ｐ６ｂ  透光部
Ｐ２    図柄（第２図柄）
Ｐ３    図柄（第３図柄）
Ｐ４    図柄（第４図柄）
Ｐ５    図柄（第５図柄）
Ｐ６    図柄（第６図柄）
Ｒ１    リール（第１リール）
Ｒ２    リール（第２リール）
Ｒ３    リール（第３リール）
Ｔ１    リールテープ（第１リールテープ）
Ｔ２    リールテープ（第２リールテープ）
Ｔ３    リールテープ（第３リールテープ）
ｇ１，ｇ２，ｈ１，ｈ２  距離
ｊ１，ｊ２  長さ
Ｔ１ｃ，Ｔ１ｄ  端
【要約】
【課題】リールの図柄の視認性を向上することが可能な遊技機を提供する。
【解決手段】複数のリールＲ１〜Ｒ３のそれぞれに設けられたリールフレームＦＲに複数の図柄が配置されたリールテープＴ１〜リールテープＴ３を巻き回し、内側からバックライト基板で照明する。リールフレームＦＲは、リールテープＴ１〜リールテープＴ３の両側の内面に当接する第１リム部２１及び第２リム部２２を有している。第１リム部２１及び第２リム部２２と重ならない透光部Ｐ１ｂと、第１リム部２１及び第２リム部２２のうち少なくとも一方と重なる縁部Ｐ１ａと、を有する第１図柄Ｐ１は、縁部Ｐ１ａが重なるリム部の側の端との距離ｇ１が１ｍｍ以上３ｍｍ以下である。
【選択図】図１３【図１】
0006710397.tif 000002
【図２】
0006710397.tif 000003
【図３】
0006710397.tif 000004
【図４】
0006710397.tif 000005
【図５】
0006710397.tif 000006
【図６】
0006710397.tif 000007
【図７】
0006710397.tif 000008
【図８】
0006710397.tif 000009
【図９】
0006710397.tif 000010
【図１０】
0006710397.tif 000011
【図１１】
0006710397.tif 000012
【図１２】
0006710397.tif 000013
【図１３】
0006710397.tif 000014
【図１４】
0006710397.tif 000015